(57)【特許請求の範囲】
【請求項１】
１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
予め設定されたバイパス指示に応じて、前記暗号化／復号化処理および前記優先制御処理の少なくともいずれか一方をバイパスするバイパス回路とを備え、
前記バイパス回路は、
前記バイパスの対象となる対象処理に入力される入力データを取り込んで、前記入力データに関するインターフェースを、前記入力データに前記対象処理を適用して得られた非バイパスデータと整合させることにより、前記対象処理をバイパスさせたバイパスデータを生成するＩＦ整合処理回路と、
前記バイパス指示に応じて、前記非バイパスデータと前記バイパスデータのいずれか一方を切替出力するセレクタと
を備えることを特徴とするＰＯＮシステム。
【請求項２】
１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
予め設定されたバイパス指示に応じて、前記暗号化／復号化処理および前記優先制御処理の少なくともいずれか一方をバイパスするバイパス回路とを備え、
前記ＰＯＮシステムの制御に用いる制御データに対して暗号化／復号化処理を行う制御用暗号／復号処理回路をさらに備え、
前記ＰＯＮ装置は、
前記バイパス回路としての、前記バイパス指示に応じて前記暗号化／復号化処理をバイパスする暗号／復号バイパス回路と、
前記暗号／復号処理回路と前記優先制御回路との間に接続されて、前記優先制御回路と前記暗号／復号処理回路との間で前記データをやり取りするとともに、前記暗号／復号処理回路との間で前記制御データをやり取りするＰＯＮプロトコル処理回路とをさらに備え、
前記制御用暗号／復号処理回路は、前記暗号／復号バイパス回路での前記暗号化／復号化処理に対するバイパス有無に応じて、前記ＰＯＮプロトコル処理回路がやり取りする前記制御データに対する前記暗号化／復号化処理の適用有無を切り替える
ことを特徴とするＰＯＮシステム。
【請求項３】
１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
予め設定されたバイパス指示に応じて、前記暗号化／復号化処理および前記優先制御処理の少なくともいずれか一方をバイパスするバイパス回路とを備え、
前記ＰＯＮ装置は、
前記バイパス回路としての、前記バイパス指示に応じて前記優先制御処理をバイパスする優先制御バイパス回路と、
前記暗号／復号処理回路と前記優先制御回路との間に接続されて、前記優先制御回路と前記暗号／復号処理回路との間で前記データをやり取りするとともに、前記暗号／復号処理回路との間で前記ＰＯＮシステムの制御に用いる制御データをやり取りするＰＯＮプロトコル処理回路とをさらに備え、
前記ＰＯＮプロトコル処理回路は、前記優先制御バイパス回路での前記優先制御処理のバイパス有無に応じて、前記暗号／復号処理回路へ出力する前記データに関する優先度ごとの制御を前記ＰＯＮプロトコル処理回路内で実施するか否かを切り替える
ことを特徴とするＰＯＮシステム。
【請求項４】
１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
予め設定されたバイパス指示に応じて、前記暗号化／復号化処理および前記優先制御処理の少なくともいずれか一方をバイパスするバイパス回路とを備え、
前記ＰＯＮ装置は、
前記バイパス回路としての、前記バイパス指示に応じて前記優先制御処理をバイパスする優先制御バイパス回路と、
前記暗号／復号処理回路と前記優先制御回路との間に接続されて、前記優先制御回路と前記暗号／復号処理回路との間で前記データをやり取りするとともに、前記暗号／復号処理回路との間で前記ＰＯＮシステムの制御に用いる制御データをやり取りするＰＯＮプロトコル処理回路とをさらに備え、
前記ＰＯＮプロトコル処理回路は、前記優先制御バイパス回路での前記優先制御処理のバイパス有無に応じて、前記優先制御バイパス回路に対して出力許可を出力するか前記優先制御回路に対して出力許可を出力するかを切り替える
ことを特徴とするＰＯＮシステム。
【請求項５】
１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
予め設定されたバイパス指示に応じて、前記暗号化／復号化処理および前記優先制御処理の少なくともいずれか一方をバイパスするバイパス回路とを備え、
前記ＰＯＮ装置は、
前記バイパス回路としての、前記バイパス指示に応じて前記優先制御処理をバイパスする優先制御バイパス回路と、
前記暗号／復号処理回路と前記ＰＯＮ側との間に接続されて、前記暗号／復号処理回路と前記ＰＯＮ側との間で前記データをやり取りするとともに、前記ＰＯＮ側との間で前記ＰＯＮシステムの制御に用いる制御データをやり取りするＰＯＮプロトコル処理回路とをさらに備え、
前記ＰＯＮプロトコル処理回路は、前記優先制御バイパス回路での前記優先制御処理のバイパス有無に応じて、前記ＰＯＮ側へ出力する前記データに関する優先度ごとの制御を前記ＰＯＮプロトコル処理回路内で実施するか否かを切り替える
ことを特徴とするＰＯＮシステム。
【請求項６】
１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
予め設定されたバイパス指示に応じて、前記暗号化／復号化処理および前記優先制御処理の少なくともいずれか一方をバイパスするバイパス回路とを備え、
前記ＰＯＮ装置は、
前記バイパス回路としての、前記バイパス指示に応じて前記優先制御処理をバイパスする優先制御バイパス回路と、
前記暗号／復号処理回路と前記ＰＯＮ側との間に接続されて、前記暗号／復号処理回路と前記ＰＯＮ側との間で前記データをやり取りするとともに、前記ＰＯＮ側との間で前記ＰＯＮシステムの制御に用いる制御データをやり取りするＰＯＮプロトコル処理回路とをさらに備え、
前記ＰＯＮプロトコル処理回路は、前記優先制御バイパス回路での前記優先制御処理のバイパス有無に応じて、前記優先制御バイパス回路に対して出力許可を出力するか前記優先制御回路に対して出力許可を出力するかを切り替える
ことを特徴とするＰＯＮシステム。
【請求項７】
１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
予め設定されたバイパス指示に応じて、前記暗号化／復号化処理および前記優先制御処理の少なくともいずれか一方をバイパスするバイパス回路とを備え、
前記ＰＯＮ装置は、
前記暗号／復号処理回路と前記暗号／復号バイパス回路との組を、前記ＰＯＮで送受信する光信号の波長ごとに別個に備えるとともに、
前記暗号／復号処理回路と前記優先制御回路との間に接続されて、前記優先制御回路と前記暗号／復号処理回路との間で前記データをやり取りするとともに、前記暗号／復号処理回路との間で前記ＰＯＮシステムの制御に用いる制御データをやり取りするＰＯＮプロトコル処理回路を、前記波長に共通して備え、
前記ＰＯＮプロトコル処理回路は、前記波長のうち、前記暗号／復号バイパス回路により前記暗号化／復号化処理がバイパスされていない波長を用いて、前記制御データをやり取りする
ことを特徴とするＰＯＮシステム。
【請求項８】
１つの集約局と、配下に収容した１つまたは複数のユーザ端末と無線通信を行う１つまたは複数の無線局とを有し、複数の無線プロトコル処理を前記集約局と前記無線局とで分割して実行する無線ネットワークシステムであって、
前記集約局と前記無線局との間で前記ユーザ端末が送受信するデータを転送するモバイルフロントホールが、請求項１〜請求項７のいずれかに記載のＰＯＮシステムからなることを特徴とする無線ネットワークシステム。
【請求項９】
請求項８に記載の無線ネットワークシステムにおいて、
前記ＰＯＮシステムのバイパス回路は、前記集約局と前記無線局とで予め分割した前記無線プロトコル処理の分割点位置を前記データに含まれる制御情報から識別し、得られた前記分割点位置に応じてバイパス指示を生成するバイパス制御回路をさらに備えることを特徴とする無線ネットワークシステム。
【請求項１０】
１つの集約局と、配下に収容した１つまたは複数のユーザ端末と無線通信を行う１つまたは複数の無線局とを有し、複数の無線プロトコル処理を前記集約局と前記無線局とで分割して実行する無線ネットワークシステムにおけるＰＯＮシステムであって、
前記集約局と前記無線局との間で前記ユーザ端末が送受信するデータを転送するモバイルフロントホールが、１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理回路と、
前記データに対して優先制御処理を行う優先制御回路と、
前記集約局と前記無線局とで予め分割した前記無線プロトコル処理の分割点位置に応じて、前記暗号化／復号化処理および前記優先制御処理の少なくともいずれか一方をバイパスするバイパス回路とを備える
ことを特徴とするＰＯＮシステム。
【請求項１１】
１つの集約局と、配下に収容した１つまたは複数のユーザ端末と無線通信を行う１つまたは複数の無線局とを有し、複数の無線プロトコル処理を前記集約局と前記無線局とで分割して実行する無線ネットワークシステムにおけるデータ転送方法であって、
前記集約局と前記無線局との間で前記ユーザ端末が送受信するデータを転送するモバイルフロントホールが、１つのＯＬＴと複数のＯＮＵとを備え、ＰＯＮを介して前記ＯＬＴと前記複数のＯＮＵとの間でデータを転送するＰＯＮシステムからなり、
前記ＯＬＴおよび前記複数のＯＮＵの少なくともいずれか一方のＰＯＮ装置は、
前記データに対して暗号化／復号化処理を行う暗号／復号処理ステップと、
前記データに対して優先制御処理を行う優先制御ステップと、
前記集約局と前記無線局とで予め分割した前記無線プロトコル処理の分割点位置に応じて、前記暗号／復号処理および前記優先制御処理のうち少なくともいずれか一方をバイパスするバイパス処理ステップとを備える
ことを特徴とするデータ転送方法。
【請求項１２】
請求項１〜請求項７のいずれかに記載のＰＯＮシステムで用いられるＯＬＴ。
【請求項１３】
請求項１〜請求項７のいずれかに記載のＰＯＮシステムで用いられるＯＮＵ。
【発明の詳細な説明】
【技術分野】
【０００１】
本発明は、ＰＯＮ（Passive Optical Network）のＯＬＴやＯＮＵで生じる処理遅延を低減するためのデータ転送技術に関する。
【背景技術】
【０００２】
近年、無線ネットワークシステムにおいて、急増するモバイルトラヒックを収容するために、スモールセルを高密度に配置することが検討されている。スモールセルは、マクロセルに比べてセル半径が小さいため、セル内で同一周波数を共有するユーザ端末数が削減され、端末当りのスループットを改善することができる。【０００３】
一方で、スモールセルの高密度配置は、隣接セルからの干渉電力の増大を招く。例えば、複数のセルが同時に同一周波数帯を用いて異なるユーザ端末にデータ送信した場合には、ユーザ端末にとっては、自分宛てのデータを送信するセル以外からの送信信号は、所望の受信信号に対する干渉電力となり、かえってスループットの低下を招く恐れがある。このため、特に高いスループットが要求される下りリンクにおいては、干渉抑圧のために、セル群の協調送信が必要となる（非特許文献１）。【０００４】
図１６に示すように、この無線アクセスネットワークシステムは、各セルに配置される複数の無線局ＲＲＵ（Remote Radio Unit）と、これらＲＲＵの無線送受信を協調制御するための集約局ＣＵ（Central Unit）と、これらＣＵとＲＲＵとを光ファイバで接続するＭＦＨ（モバイルフロントホール：Mobile Fronthaul）とから構成されている。これにより、ＭＢＨ（モバイルバックホール：Mobile Backhaul）から届いたユーザ端末ＵＥ（User Equipment）宛のデータは、ＭＦＨの光ファイバを介してＣＵからＲＲＵに転送され、ＲＲＵからＵＥに無線送信される。
【先行技術文献】
【非特許文献】
【０００５】
【非特許文献１】田岡ほか，「LTE-AdvancedにおけるMIMOおよびセル間協調送受信技術」，NTT  DOCOMO  テクニカル・ジャーナル，Vol. 18，No. 2，Jul. 2010
【非特許文献２】松永ほか，「5Gに向けた無線アクセスネットワークアーキテクチャの進化」，信学技報，RCS2014-172，2014年10月
【非特許文献３】宮本ほか，「PONを適用した将来モバイルフロントホールの光伝送容量に関する一検討」，信学技報，CS2014-18，2014年
【非特許文献４】China Mobile Research Instituteほか，"White Paper of Next Generation Fronthaul Interface ver. 1.0"，June 4，2015
【非特許文献５】3GPP，TS 36.213 V.8.2.0
【発明の概要】
【発明が解決しようとする課題】
【０００６】
従来、ＭＦＨでは、ＣＵでベースバンド処理されたデータを各ＲＲＵに転送する形態が採用されていたが（非特許文献２）、ＭＦＨの経済化のために、ベースバンド処理をＲＲＵ側に移し、汎用的なＬａｙｅｒ２（ＯＳＩ参照モデルのＬ２）網で実現する、いわゆるＬａｙｅｒ２化し、ＴＤＭ−ＰＯＮ（時分割多重光通信網：Time Division Multiplexing Passive Optical Network）等のＴＤＭシステムをＭＦＨに適用する検討がなされている（非特許文献３，４）。【０００７】
図１７に示すように、無線ネットワークシステムで用いられる無線プロトコル処理は、通常、パケットヘッダの圧縮、解凍、暗号化／復号化などの処理を行うＰＤＣＰ（Packet Data Convergence Protocol）、再送制御，重複検出，順序整列などの処理を行うＲＬＣ（Radio Link Control）、無線リソース割り当て、データマッピング、再送制御、優先制御などの処理を行うＭＡＣ（Medium Access Control）、変調方式、符号化方式，アンテナ多重化などの処理を行うＰＨＹ（Physical）、および無線送受信処理を行うＲＦ（Radio frequency）の各処理から構成されており、これら処理がＣＵとＲＲＵとで分割して実行されることになる。【０００８】
ＭＦＨのＬａｙｅｒ２化方法は様々提案されている。その１つとして、例えば、ベースバンド処理までをＲＲＵで実行し、それよりも上位のプロトコル処理をＣＵで実行する、ＭＡＣ−ＰＨＹ分割方式がある。また、別のＬａｙｅｒ２化方法として、ベースバンド処理だけでなく、レイヤ２処理の一部であるＲＬＣまでをＲＲＵで実行し、それよりも上位のプロトコル処理をＣＵで実行するＰＤＣＰ−ＲＬＣ分割方式がある。さらにこれらを任意に変更する形態等もある（非特許文献４，５）。このため、ＭＦＨには、Ｌａｙｅｒ２化されたＭＦＨにおいて、ＣＵ−ＲＲＵ間の様々な機能分割方式に柔軟に対応できることが求められる。【０００９】
図１８に示すように、この構成では、ＴＤＭ−ＰＯＮを適用しないＭＦＨと比べて、複数のＲＲＵで光ファイバを共用できる利点がある一方で、ＭＦＨ区間にＴＤＭ−ＰＯＮを構成するＯＬＴ（Optical Line Terminal）とＯＮＵ（Optical Network Unit）が挿入されることになる。このため、これらＯＬＴやＯＮＵにおけるデータ転送処理の所要時間が、ＭＦＨ区間で発生する遅延に加わるという問題点がある。特に、ＭＦＨ区間に許容される遅延はそれぞれの無線ネットワークシステムによって規定され制限されているため、ＯＬＴやＯＮＵでの処理遅延を低減する必要がある。【００１０】
本発明はこのような課題を解決するためのものであり、ＰＯＮのＯＬＴやＯＮＵで生じる処理遅延を低減できるデータ転送技術を提供することを目的としている。
【課題を解決するための手段】
【００１１】
このような目的を達成するために、本発明にかかるＰＯＮシステムは、１つのＯＬＴと複数のＯＮＵとを備え、ＰＯＮを介して前記ＯＬＴと前記複数のＯＮＵとの間でデータを転送するＰＯＮシステムであって、前記ＯＬＴおよび前記複数のＯＮＵの少なくともいずれか一方のＰＯＮ装置は、前記データに対して暗号化／復号化処理を行う暗号／復号処理回路と、前記データに対して優先制御処理を行う優先制御回路と、予め設定されたバイパス指示に応じて、前記暗号化／復号化処理および前記優先制御処理の少なくともいずれか一方をバイパスするバイパス回路とを備えている。【００１２】
また、本発明にかかるデータ転送方法は、１つのＯＬＴと複数のＯＮＵとを備え、ＰＯＮを介して前記ＯＬＴと前記複数のＯＮＵとの間でデータを転送するＰＯＮシステムで用いられるデータ転送方法であって、前記ＯＬＴおよび前記複数のＯＮＵの少なくともいずれか一方のＰＯＮ装置は、前記データに対して暗号化／復号化処理を行う暗号／復号処理ステップと、前記データに対して優先制御処理を行う優先制御ステップと、予め設定されたバイパス指示に応じて、前記暗号／復号処理および前記優先制御処理のうち少なくともいずれか一方をバイパスするバイパス処理ステップとを備えている。【００１３】
また、本発明にかかる無線ネットワークシステムは、配下に収容した１つまたは複数のユーザ端末と無線通信を行う１つまたは複数の無線局とを有し、複数の無線プロトコル処理を前記集約局と前記無線局とで分割して実行する無線ネットワークシステムであって、前記集約局と前記無線局との間で前記ユーザ端末が送受信するデータを転送するモバイルフロントホールが、前述したいずれかのＰＯＮシステムからなるものである。【００１４】
また、本発明にかかる局側装置は、前述したいずれかのＰＯＮシステムで用いられるＯＬＴである。
また、本発明にかかる加入者側装置は、前述したいずれかのＰＯＮシステムで用いられるＯＮＵである。
【発明の効果】
【００１５】
本発明によれば、分割して実行する通信プロトコル処理の分割点の位置に応じて、優先制御バイパス指示および暗号／復号バイパス指示をそれぞれ設定することにより、ＰＯＮシステムで転送されるデータに対して重複して実行されるＯＬＴやＯＮＵでの暗号化／復号化処理や優先制御処理をバイパスさせることができる。したがって、ＯＬＴおよびＯＮＵにおける重複した無駄な処理を省くことができ、結果として処理遅延を低減することが可能となる。
また、モバイルフロントホールに限らず、優先制御バイパス指示および暗号／復号バイパス指示をそれぞれ設定することにより、ＰＯＮシステムで転送されるデータに対してＯＬＴおよびＯＮＵ内での処理遅延を低減することが可能となる。
【図面の簡単な説明】
【００１６】
【図１】図１は、第１の実施の形態にかかる無線ネットワークシステムの構成を示すブロック図である。
【図２】図２は、第１の実施の形態にかかるＯＬＴの構成を示すブロック図である。
【図３】図３は、第１の実施の形態にかかるＯＮＵの構成を示すブロック図である。
【図４】図４は、第２の実施の形態にかかるＯＬＴの構成を示すブロック図である。
【図５】図５は、第２の実施の形態にかかるＯＮＵの構成を示すブロック図である。
【図６】図６は、第３の実施の形態にかかるＯＬＴの構成を示すブロック図である。
【図７】図７は、第３の実施の形態にかかるＯＮＵの構成を示すブロック図である。
【図８】図８は、第４の実施の形態にかかるＯＬＴの構成を示すブロック図である。
【図９】図９は、第４の実施の形態にかかるＯＮＵの構成を示すブロック図である。
【図１０】図１０は、第５の実施の形態にかかるＯＬＴの構成を示すブロック図である。
【図１１】図１１は、第５の実施の形態にかかるＯＮＵの構成を示すブロック図である。
【図１２】図１２は、第６の実施の形態にかかるＯＬＴの構成を示すブロック図である。
【図１３】図１３は、第６の実施の形態にかかるＯＮＵの構成を示すブロック図である。
【図１４】図１４は、第７の実施の形態にかかるＯＬＴの構成を示すブロック図である。
【図１５】図１５は、第７の実施の形態にかかるＯＮＵの構成を示すブロック図である。
【図１６】図１６は、一般的な無線ネットワークシステムの構成例である。
【図１７】図１７は、ＭＦＨのＬａｙｅｒ２化を示す説明図である。
【図１８】図１８は、ＴＤＭ−ＰＯＮを適用したＭＦＨの構成例である。
【発明を実施するための形態】
【００１７】
次に、本発明の実施の形態について図面を参照して説明する。
［第１の実施の形態］
まず、図１を参照して、本発明の第１の実施の形態にかかる無線ネットワークシステム１について説明する。
【００１８】
図１に示すように、この無線ネットワークシステム１は、１つの集約局ＣＵ（Central Unit）と、配下に収容した１つまたは複数のユーザ端末ＵＥと無線通信を行う１つまたは複数の無線局ＲＲＵ（Remote Radio Unit）と、これらＣＵとＲＲＵとを接続するモバイルフロントホールＭＦＨ（Mobile Fronthaul）とを備えている。
【００１９】
無線ネットワークシステム１は、複数の無線プロトコル処理をこれらＣＵとＲＲＵとで分割して実行することにより、ＣＵとＲＲＵとの間でＵＥが送受信するデータをＭＦＨを介して転送するシステムであり、本発明は、ＭＦＨとしてＰＯＮシステム２を適用したものである。
ＰＯＮシステム２は、ＰＯＮ装置である、１つの局側装置ＯＬＴ１０と、１つまたは複数のＲＲＵを配下に収容する複数の加入者側装置ＯＮＵ２０とから構成され、光ファイバからなるＰＯＮを介して、ＯＬＴ１０とＯＮＵ２０との間で時分割でデータ転送する光アクセスネットワークシステムである。
【００２０】
また、図１には、理解を容易とするため、ＯＮＵの配下にＲＲＵが１つのみ収容されており、このＲＲＵに対してＵＥが１つのみ接続されている例が示されているが、これに限定されるものではない。一般的には、ＯＮＵに１つまたは複数のＲＲＵが収容されており、それぞれのＲＲＵに１つまたは複数のＵＥが接続される。
なお、無線ネットワークシステム１のうち、ＣＵ、ＲＲＵ、ＵＥについては、一般的な公知の構成からなるものであり、ここでの詳細説明は省略する。
【００２１】
また、本発明にかかるＰＯＮシステム２は、ＴＤＭ方式のＰＯＮシステムであるＴＤＭ−ＰＯＮを例として説明するが、これに限定されるものではなく、他の方式のＰＯＮシステムであっても、本発明を同様に適用でき、同様の作用効果を得ることができる。
【００２２】
また、本発明にかかるＰＯＮシステム２は、無線プロトコル処理に基づき動作する無線ネットワークシステム１のＭＦＨとして用いる場合を例として説明するが、これに限定されるものではない。例えば、ＩｏＴ（Internet of Things）などの任意の通信プロトコル処理に基づき動作する通信ネットワークにおいて、任意の区間を光通信で中継接続する場合にも、本発明にかかるＰＯＮシステム２を用いることができ、同様の作用効果を得ることができる。これらの場合、一般的には、上記ＣＵおよびＲＲＵが、上位装置およびホームゲートウェイに相当する。
【００２３】
［ＰＯＮ装置］
次に、図１を参照して、本実施の形態にかかるＰＯＮ装置であるＯＬＴ１０とＯＮＵ２０の構成について説明する。
本実施の形態にかかるＯＬＴ１０には、主な回路部として、前述の図１８と同様の構成である、優先制御回路１１、ＰＯＮプロトコル処理回路１２、暗号／復号処理回路１３、誤り訂正処理回路１４、ＰＯＮ光送受信処理回路１５に加えて、優先制御バイパス回路１６および暗号／復号バイパス回路１７（バイパス回路）が設けられている。これら回路部は、１つまたは複数の半導体チップから構成されている。なお、優先制御、ＰＯＮプロトコル処理、暗号／復号処理の機能の一部をＯＬＴ内のＣＰＵ上のソフトウエアで構成することも可能である。
【００２４】
また、本実施の形態にかかるＯＮＵ２０には、主な回路部として、前述の図１８と同様の構成である、優先制御回路２１、ＰＯＮプロトコル処理回路２２、暗号／復号処理回路２３、誤り訂正処理回路２４、ＰＯＮ光送受信処理回路２５に加えて、優先制御バイパス回路２６および暗号／復号バイパス回路２７（バイパス回路）が設けられている。これら回路部は、１つまたは複数の半導体チップから構成されている。なお、優先制御、ＰＯＮプロトコル処理、暗号／復号処理の機能の一部をＯＮＵ内のＣＰＵ上のソフトウエアで構成することも可能である。
【００２５】
優先制御バイパス回路１６は、予め設定された優先制御バイパス指示ＢＰに応じて、優先制御回路１１に入力されるデータをバイパスする機能を有している。
暗号／復号バイパス回路１７は、予め設定された暗号／復号バイパス指示ＢＥに応じて、暗号／復号処理回路１３に入力されるデータをバイパスする機能を有している。
これら優先制御バイパス回路１６および暗号／復号バイパス回路１７は、ＣＵからＵＥへの下りデータと、ＵＥからＣＵへの上りデータの両方についてバイパス処理する。
【００２６】
優先制御バイパス回路２６は、予め設定された優先制御バイパス指示ＢＰに応じて、優先制御回路２１に入力されるデータをバイパスする機能を有している。
暗号／復号バイパス回路２７は、予め設定された暗号／復号バイパス指示ＢＥに応じて、暗号／復号処理回路２３に入力されるデータをバイパスする機能を有している。
これら優先制御バイパス回路２６および暗号／復号バイパス回路２７は、ＣＵからＵＥへの下りデータと、ＵＥからＣＵへの上りデータの両方についてバイパス処理する。
【００２７】
これら回路部のうち、優先制御回路１１と優先制御回路２１とは対として動作して、ＰＯＮを介してＯＬＴ１０とＯＮＵ２０との間で転送されるデータに優先制御処理を行うことにより、ＰＯＮ区間における通信品質を確保するためのものである。
また、暗号／復号処理回路１３と暗号／復号処理回路２３とは対として動作して、ＰＯＮを介してＯＬＴ１０とＯＮＵ２０との間で転送されるデータに暗号化／復号化処理を行うことにより、ＰＯＮ区間におけるセキュリティ性を確保するためのものである。
【００２８】
なお、ＰＯＮプロトコル処理回路１２、誤り訂正処理回路１４、ＰＯＮ光送受信処理回路１５、および、ＰＯＮプロトコル処理回路２２、誤り訂正処理回路２４、ＰＯＮ光送受信処理回路２５については、一般的な公知の構成からなるものであり、ここでの詳細説明は省略する。
【００２９】
［発明の原理］
一般に、無線ネットワークシステム１で用いられる無線プロトコル処理には、前述の図１７に示したように、ＰＤＣＰでは、パケットヘッダの圧縮や解凍などの処理のほか、暗号化／復号化処理を行うものとなっている。ＰＤＣＰでの暗号化／復号化処理は、ＵＥで実行される暗号化／復号化処理に対応するものであり、ＰＤＣＰとＵＥとの間の経路におけるセキュリティ性を確保するためのものである。また、ＭＡＣでは、無線リソース割り当て、データマッピング、再送制御などの処理のほか、優先制御処理を行うものとなっている。ＭＡＣでの優先制御処理は、ＵＥで実行される優先制御処理に対応するものであり、ＭＡＣとＵＥとの間の経路における通信品質を確保するためのものである。
【００３０】
一方、ＭＦＨとして用いられるＰＯＮシステム２を構成する局側装置ＯＬＴ１０および加入者側装置ＯＮＵ２０には、前述の図１８に示したように、光ファイバからなるＰＯＮを介して送受信するデータに対して、暗号化／復号化処理を行う暗号／復号処理回路と、当該データに対して優先制御処理を行う優先制御回路とが設けられている。
したがって、ＯＬＴ１０およびＯＮＵ２０における暗号化／復号化処理や優先制御処理は、無線プロトコル処理のうちＰＤＣＰおよびＭＡＣにおける暗号化／復号化処理や優先制御処理と重複することになる。
【００３１】
ここで、図１７に示したように、無線プロトコル処理をＣＵとＲＲＵとで分割して実行する場合、ＰＤＣＰからＲＦまでの任意の処理間に分割点が設けられる可能性があり、その分割点にＭＦＨが挿入されることになる。したがって、例えば、ＭＡＣ−ＰＨＹ分割方式の場合には、ＭＡＣとＰＨＹとの間にＭＦＨが挿入されるため、ＭＦＨで転送されるデータには、ＰＤＣＰおよびＭＡＣにおける暗号化／復号化処理および優先制御処理とは別個に、ＭＦＨ区間においてＯＬＴ１０およびＯＮＵ２０における暗号化／復号化処理および優先制御処理が重複して実行されることになる。
【００３２】
また、例えば、ＰＤＣＰ−ＲＬＣ分割方式の場合には、ＰＤＣＰとＲＬＣとの間にＭＦＨが挿入されるため、ＭＦＨで転送されるデータには、ＰＤＣＰにおける暗号化／復号化処理とは別個に、ＭＦＨ区間においてＯＬＴ１０およびＯＮＵ２０における暗号化／復号化処理が重複して実行されることになる。したがって、このような重複して実行される処理をＯＬＴ１０およびＯＮＵ２０においてバイパスさせることにより、ＯＬＴ１０およびＯＮＵ２０における処理遅延を低減することができる。
【００３３】
本発明は、このようなＭＦＨで転送されるデータに対して重複して実行される暗号化／復号化処理や優先制御処理をバイパスさせることにより、ＯＬＴ１０およびＯＮＵ２０における処理遅延を低減できる点、および、これら重複処理が無線プロトコル処理の分割点の位置によって変化する点に着目したものである。そして、ＯＬＴ１０およびＯＮＵ２０に、暗号／復号処理および優先制御処理のうちいずれか一方または両方をバイパスするバイパス回路を設け、無線プロトコル処理の分割点位置に応じて予め設定されたバイパス指示に基づいて、バイパス回路でのバイパス／非バイパスを切替制御するようにしたものである。
【００３４】
［ＯＬＴ］
次に、図２を参照して、本実施の形態にかかるＯＬＴ１０の優先制御バイパス回路１６および暗号／復号バイパス回路１７の構成および動作について詳細に説明する。
図２に示すように、優先制御バイパス回路１６には、主な処理回路として、ＩＦ整合処理回路１６ＡおよびセレクタＳＥＬ１６Ｂ，１６Ｃが設けられている。また、暗号／復号バイパス回路１７には、主な処理回路として、ＩＦ整合処理回路１７ＡおよびセレクタＳＥＬ１７Ｂ，１７Ｃが設けられている。
【００３５】
ＩＦ整合処理回路１６Ａは、ＣＵから出力された、バイパスの対象となる優先制御回路１１に入力される下り入力データを取り込んで、当該下り入力データに関する規格や形式などのインターフェースを、下り入力データに優先制御処理を適用して得られた下り非バイパスデータと整合させることにより、優先制御処理をバイパスさせた下りバイパスデータを生成する機能を有している。
【００３６】
また、ＩＦ整合処理回路１６Ａは、ＰＯＮプロトコル処理回路１２から出力された、バイパスの対象となる優先制御回路１１に入力される上り入力データを取り込んで、当該上り入力データに関する規格や形式などのインターフェースを、上り入力データに優先制御処理を適用して得られた上り非バイパスデータと整合させることにより、優先制御処理をバイパスさせた上りバイパスデータを生成する機能を有している。
【００３７】
ＳＥＬ１６Ｂは、優先制御バイパス指示ＢＰに応じて、優先制御回路１１から出力された下り非バイパスデータと、ＩＦ整合処理回路１６Ａから出力された下りバイパスデータとのいずれか一方を切替選択してＰＯＮプロトコル処理回路１２へ出力する機能を有している。
ＳＥＬ１６Ｃは、優先制御バイパス指示ＢＰに応じて、優先制御回路１１から出力された上り非バイパスデータと、ＩＦ整合処理回路１６Ａから出力された上りバイパスデータとのいずれか一方を切替選択してＣＵへ出力する機能を有している。
【００３８】
したがって、優先制御バイパス指示ＢＰが非バイパスを示す場合、ＳＥＬ１６Ｂで優先制御回路１１から出力された下り非バイパスデータが選択されて、ＰＯＮプロトコル処理回路１２へ出力されるとともに、ＳＥＬ１６Ｃで優先制御回路１１から出力された上り非バイパスデータが選択されて、ＣＵへ出力されることになる。一方、優先制御バイパス指示ＢＰがバイパスを示す場合、ＳＥＬ１６ＢでＩＦ整合処理回路１６Ａから出力された下りバイパスデータが選択されて、ＰＯＮプロトコル処理回路１２へ出力されるとともに、ＳＥＬ１６ＣでＩＦ整合処理回路１６Ａから出力された上りバイパスデータが選択されて、ＣＵへ出力されることになる。これにより、優先制御回路１１での優先制御処理がバイパスされることになる。
【００３９】
ＩＦ整合処理回路１７Ａは、ＰＯＮプロトコル処理回路１２から出力された、バイパスの対象となる暗号／復号処理回路１３に入力される下り入力データを取り込んで、当該下り入力データに関する規格や形式などのインターフェースを、下り入力データに暗号化／復号化処理を適用して得られた下り非バイパスデータと整合させることにより、暗号化／復号化処理をバイパスさせた下りバイパスデータを生成する機能を有している。
【００４０】
また、ＩＦ整合処理回路１７Ａは、誤り訂正処理回路１４から出力された、バイパスの対象となる暗号／復号処理回路１３に入力される上り入力データを取り込んで、当該上り入力データに関する規格や形式などのインターフェースを、上り入力データに暗号化／復号化処理を適用して得られた上り非バイパスデータと整合させることにより、暗号化／復号化処理をバイパスさせた上りバイパスデータを生成する機能を有している。
【００４１】
ＳＥＬ１７Ｂは、暗号／復号バイパス指示ＢＥに応じて、暗号／復号処理回路１３から出力された下り非バイパスデータと、ＩＦ整合処理回路１７Ａから出力された下りバイパスデータとのいずれか一方を切替選択して誤り訂正処理回路１４へ出力する機能を有している。
ＳＥＬ１７Ｃは、暗号／復号バイパス指示ＢＥに応じて、暗号／復号処理回路１３から出力された上り非バイパスデータと、ＩＦ整合処理回路１７Ａから出力された上りバイパスデータとのいずれか一方を切替選択してＰＯＮプロトコル処理回路１２へ出力する機能を有している。
【００４２】
したがって、暗号／復号バイパス指示ＢＥが非バイパスを示す場合、ＳＥＬ１７Ｂで暗号／復号処理回路１３から出力された下り非バイパスデータが選択されて、誤り訂正処理回路１４へ出力されるとともに、ＳＥＬ１７Ｃで暗号／復号処理回路１３から出力された上り非バイパスデータが選択されて、ＰＯＮプロトコル処理回路１２へ出力されることになる。一方、暗号／復号バイパス指示ＢＥがバイパスを示す場合、ＳＥＬ１７ＢでＩＦ整合処理回路１７Ａから出力された下りバイパスデータが選択されて、誤り訂正処理回路１４へ出力されるとともに、ＳＥＬ１６ＣでＩＦ整合処理回路１７Ａから出力された上りバイパスデータが選択されて、ＰＯＮプロトコル処理回路１２へ出力されることになる。これにより、暗号／復号処理回路１３での暗号化／復号化処理がバイパスされることになる。
【００４３】
［ＯＮＵ］
次に、図３を参照して、本実施の形態にかかるＯＮＵ２０の優先制御バイパス回路２６および暗号／復号バイパス回路２７の構成および動作について詳細に説明する。
図３に示すように、優先制御バイパス回路２６には、主な処理回路として、ＩＦ整合処理回路２６ＡおよびセレクタＳＥＬ２６Ｂ，２６Ｃが設けられている。また、暗号／復号バイパス回路２７には、主な処理回路として、ＩＦ整合処理回路２７ＡおよびセレクタＳＥＬ２７Ｂ，２７Ｃが設けられている。
【００４４】
ＩＦ整合処理回路２６Ａは、ＲＲＵから出力された、バイパスの対象となる優先制御回路２１に入力される上り入力データを取り込んで、当該上り入力データに関する規格や形式などのインターフェースを、上り入力データに優先制御処理を適用して得られた上り非バイパスデータと整合させることにより、優先制御処理をバイパスさせた上りバイパスデータを生成する機能を有している。
【００４５】
また、ＩＦ整合処理回路２６Ａは、ＰＯＮプロトコル処理回路１２から出力された、バイパスの対象となる優先制御回路２１に入力される下り入力データを取り込んで、当該下り入力データに関する規格や形式などのインターフェースを、下り入力データに優先制御処理を適用して得られた下り非バイパスデータと整合させることにより、優先制御処理をバイパスさせた下りバイパスデータを生成する機能を有している。
【００４６】
ＳＥＬ２６Ｂは、優先制御バイパス指示ＢＰに応じて、優先制御回路２１から出力された上り非バイパスデータと、ＩＦ整合処理回路２６Ａから出力された上りバイパスデータとのいずれか一方を切替選択してＰＯＮプロトコル処理回路２２へ出力する機能を有している。
ＳＥＬ２６Ｃは、優先制御バイパス指示ＢＰに応じて、優先制御回路２１から出力された下り非バイパスデータと、ＩＦ整合処理回路２６Ａから出力された下りバイパスデータとのいずれか一方を切替選択してＲＲＵへ出力する機能を有している。
【００４７】
したがって、優先制御バイパス指示ＢＰが非バイパスを示す場合、ＳＥＬ２６Ｂで優先制御回路２１から出力された上り非バイパスデータが選択されて、ＰＯＮプロトコル処理回路２２へ出力されるとともに、ＳＥＬ２６Ｃで優先制御回路２１から出力された下り非バイパスデータが選択されて、ＲＲＵへ出力されることになる。一方、優先制御バイパス指示ＢＰがバイパスを示す場合、ＳＥＬ２６ＢでＩＦ整合処理回路２６Ａから出力された上りバイパスデータが選択されて、ＰＯＮプロトコル処理回路２２へ出力されるとともに、ＳＥＬ２６ＣでＩＦ整合処理回路２６Ａから出力された下りバイパスデータが選択されて、ＲＲＵへ出力されることになる。これにより、優先制御回路２１での優先制御処理がバイパスされることになる。
【００４８】
ＩＦ整合処理回路２７Ａは、ＰＯＮプロトコル処理回路２２から出力された、バイパスの対象となる暗号／復号処理回路２３に入力される上り入力データを取り込んで、当該上り入力データに関する規格や形式などのインターフェースを、上り入力データに暗号化／復号化処理を適用して得られた上り非バイパスデータと整合させることにより、暗号化／復号化処理をバイパスさせた上りバイパスデータを生成する機能を有している。
【００４９】
また、ＩＦ整合処理回路２７Ａは、誤り訂正処理回路２４から出力された、バイパスの対象となる暗号／復号処理回路２３に入力される下り入力データを取り込んで、当該下り入力データに関する規格や形式などのインターフェースを、下り入力データに暗号化／復号化処理を適用して得られた下り非バイパスデータと整合させることにより、暗号化／復号化処理をバイパスさせた下りバイパスデータを生成する機能を有している。
【００５０】
ＳＥＬ２７Ｂは、暗号／復号バイパス指示ＢＥに応じて、暗号／復号処理回路２３から出力された上り非バイパスデータと、ＩＦ整合処理回路２７Ａから出力された上りバイパスデータとのいずれか一方を切替選択して誤り訂正処理回路２４へ出力する機能を有している。
ＳＥＬ２７Ｃは、暗号／復号バイパス指示ＢＥに応じて、暗号／復号処理回路２３から出力された下り非バイパスデータと、ＩＦ整合処理回路２７Ａから出力された下りバイパスデータとのいずれか一方を切替選択してＰＯＮプロトコル処理回路２２へ出力する機能を有している。
【００５１】
したがって、暗号／復号バイパス指示ＢＥが非バイパスを示す場合、ＳＥＬ２７Ｂで暗号／復号処理回路２３から出力された上り非バイパスデータが選択されて、誤り訂正処理回路２４へ出力されるとともに、ＳＥＬ２７Ｃで暗号／復号処理回路２３から出力された下り非バイパスデータが選択されて、ＰＯＮプロトコル処理回路２２へ出力されることになる。一方、暗号／復号バイパス指示ＢＥがバイパスを示す場合、ＳＥＬ２７ＢでＩＦ整合処理回路２７Ａから出力された上りバイパスデータが選択されて、誤り訂正処理回路２４へ出力されるとともに、ＳＥＬ２６ＣでＩＦ整合処理回路２７Ａから出力された下りバイパスデータが選択されて、ＰＯＮプロトコル処理回路２２へ出力されることになる。これにより、暗号／復号処理回路２３での暗号化／復号化処理がバイパスされることになる。
【００５２】
［第１の実施の形態の効果］
このように、本実施の形態は、ＯＬＴ１０に、優先制御バイパス回路１６および暗号／復号バイパス回路１７を設け、予め設定された優先制御バイパス指示ＢＰおよび暗号／復号バイパス指示ＢＥに応じて、暗号化／復号化処理および優先制御処理のうちいずれか一方または両方をバイパスするようにしたものである。
あるいは、ＯＮＵ２０に、優先制御バイパス回路２６および暗号／復号バイパス回路２７を設け、予め設定された優先制御バイパス指示ＢＰおよび暗号／復号バイパス指示ＢＥに応じて、暗号化／復号化処理および優先制御処理のうちいずれか一方または両方をバイパスするようにしたものである。
【００５３】
これにより、ＣＵとＲＲＵとで分割して実行する無線プロトコル処理の分割点の位置に応じて、優先制御バイパス指示ＢＰおよび暗号／復号バイパス指示ＢＥをそれぞれ設定することにより、ＭＦＨで転送されるデータに対して重複して実行されるＯＬＴ１０やＯＮＵ２０での暗号化／復号化処理や優先制御処理をバイパスさせることができる。したがって、ＯＬＴ１０およびＯＮＵ２０における重複した無駄な処理を省くことができ、結果として処理遅延を低減することが可能となる。
【００５４】
なお、本実施の形態では、ＯＬＴ１０の優先制御バイパス回路１６および暗号／復号バイパス回路１７と、ＯＮＵ２０の優先制御バイパス回路２６および暗号／復号バイパス回路２７については、対として備えることを前提として説明したが、これに限定されるものではない。いずれか一方だけでも処理遅延を低減することが可能であれば、対として備える必要はない。
【００５５】
［第２の実施の形態］
次に、本発明の第２の実施の形態にかかる無線ネットワークシステム１について説明する。
第１の実施の形態では、優先制御バイパス指示ＢＰおよび暗号／復号バイパス指示ＢＥを予め設定しておく場合について説明した。本実施の形態では、ＯＬＴ１０やＯＮＵ２０において、ＣＵやＲＲＵからのデータに付与されている制御情報に基づいて、ＣＵとＲＲＵとで予め分割した無線プロトコル処理の分割点を識別して、優先制御バイパス指示ＢＰおよび暗号／復号バイパス指示ＢＥを自律的に生成する場合について説明する。
【００５６】
［ＯＬＴ］
次に、図４を参照して、本実施の形態にかかるＯＬＴ１０の優先制御バイパス回路１６および暗号／復号バイパス回路１７の構成および動作について詳細に説明する。
図４に示すように、本実施の形態にかかるＯＬＴ１０の優先制御バイパス回路１６には、図２と比較して、バイパス制御回路１６Ｄが追加されているとともに、同じく暗号／復号バイパス回路１７にはバイパス制御回路１７Ｄが追加されている。
【００５７】
バイパス制御回路１６Ｄは、ＣＵとＲＲＵとで予め分割した無線プロトコル処理の分割点の位置を、ＣＵから出力された下りデータあるいはＵＥから出力された上りデータに含まれる制御情報から識別する機能と、得られた分割点の位置に応じて優先制御バイパス指示ＢＰを生成してＳＥＬ１６Ｂ，１６Ｃへ出力する機能を有している。
バイパス制御回路１７Ｄは、ＣＵとＲＲＵとで予め分割した無線プロトコル処理の分割点の位置を、ＣＵから出力された下りデータあるいはＵＥから出力された上りデータに含まれる制御情報から識別する機能と、得られた分割点の位置に応じて暗号／復号バイパス指示ＢＥを生成してＳＥＬ１７Ｂ，１７Ｃへ出力する機能を有している。
【００５８】
バイパス制御回路１６Ｄおよびバイパス制御回路１７Ｄにおけるバイパス指示の生成処理については、ＣＵやＲＲＵで制御情報として上りデータあるいは下りデータに付与した、分割点位置を示す新たなタグ情報で、予め設定されているテーブルを参照することにより、優先制御バイパス指示ＢＰおよび暗号／復号バイパス指示ＢＥを生成してもよい。例えば、ＭＡＣ−ＰＨＹ分割方式を示すタグ値「０」に対応して、テーブルに２ビットの指示データ「１１」（バイナリ値）を設定し、ＰＤＣＰ−ＲＬＣ分割方式を示すタグ値「１」に対応して、テーブルに２ビットの指示データ「０１」（バイナリ値）を設定しておけばよい。
【００５９】
この指示データの上位ビットが優先制御バイパス指示ＢＰ（１…バイパス，０…非バイパス）に相当し、下位ビットが暗号／復号バイパス指示ＢＥ（１…バイパス，０…非バイパス）に相当している。したがって、取得したタグ値がＭＡＣ−ＰＨＹ分割方式を示す「０」であった場合、テーブルから得た指示データ「１１」に基づき、「バイパス」を指示する優先制御バイパス指示ＢＰおよび暗号／復号バイパス指示ＢＥが出力される。また、取得したタグ値がＰＤＣＰ−ＲＬＣ分割方式を示す「１」であった場合、テーブルから得た指示データ「０１」に基づき、「非バイパス」を指示する優先制御バイパス指示ＢＰと「バイパス」を指示する暗号／復号バイパス指示ＢＥとが出力される。
【００６０】
なお、タグ値に代わる制御情報として、ＣＵとＲＲＵとの間でやり取りする制御用の上りデータあるいは下りデータに格納されている既存の制御情報を抽出し、タグ値と同様にしてテーブルを参照することにより、優先制御バイパス指示ＢＰおよび暗号／復号バイパス指示ＢＥを生成するようにしてもよい。
【００６１】
これにより、バイパス制御回路１６Ｄで、ＣＵからの下りデータあるいはＵＥからの上りデータに基づいて、無線プロトコル処理の分割点位置が識別されて、分割点位置に応じた優先制御バイパス指示ＢＰがＳＥＬ１６Ｂ，１６Ｃへ出力される。また、バイパス制御回路１７Ｄで、ＣＵからの下りデータあるいはＵＥからの上りデータに基づいて、無線プロトコル処理の分割点位置が識別されて、分割点位置に応じた暗号／復号バイパス指示ＢＥがＳＥＬ１７Ｂ，１７Ｃへ出力される。
【００６２】
［ＯＮＵ］
次に、図５を参照して、本実施の形態にかかるＯＮＵ２０の優先制御バイパス回路２６および暗号／復号バイパス回路２７の構成および動作について詳細に説明する。
図５に示すように、本実施の形態にかかるＯＮＵ２０の優先制御バイパス回路２６には、図３と比較して、バイパス制御回路２６Ｄが追加されているとともに、同じく暗号／復号バイパス回路２７にはバイパス制御回路２７Ｄが追加されている。
【００６３】
バイパス制御回路２６Ｄは、ＣＵとＲＲＵとで予め分割した無線プロトコル処理の分割点の位置を、ＣＵから出力された下りデータあるいはＵＥから出力された上りデータに含まれる制御情報から識別する機能と、得られた分割点の位置に応じて優先制御バイパス指示ＢＰを生成してＳＥＬ２６Ｂ，２６Ｃへ出力する機能を有している。
バイパス制御回路２７Ｄは、ＣＵとＲＲＵとで予め分割した無線プロトコル処理の分割点の位置を、ＣＵから出力された下りデータあるいはＵＥから出力された上りデータに含まれる制御情報から識別する機能と、得られた分割点の位置に応じて暗号／復号バイパス指示ＢＥを生成してＳＥＬ２７Ｂ，２７Ｃへ出力する機能を有している。
【００６４】
これにより、バイパス制御回路２６Ｄで、ＣＵからの下りデータあるいはＵＥからの上りデータに基づいて、無線プロトコル処理の分割点位置が識別されて、分割点位置に応じた優先制御バイパス指示ＢＰがＳＥＬ２６Ｂ，２６Ｃへ出力される。また、バイパス制御回路２７Ｄで、ＣＵからの下りデータあるいはＵＥからの上りデータに基づいて、無線プロトコル処理の分割点位置が識別されて、分割点位置に応じた暗号／復号バイパス指示ＢＥがＳＥＬ２７Ｂ，２７Ｃへ出力される。
なお、バイパス制御回路２６Ｄおよびバイパス制御回路２７Ｄにおけるバイパス指示の生成処理については、前述したバイパス制御回路１６Ｄおよびバイパス制御回路１７Ｄと同様である。
【００６５】
また、ＯＮＵにおいて下りデータに基づいて無線プロトコル処理の分割点位置を識別する場合、下りデータが暗号化されていると復号しないと識別できない場合が想定されるが、ＯＮＵ内の下りの暗号／復号処理回路に暗号化データを復号して転送する機能だけではなく非暗号化データをそのまま転送する機能も搭載し、ＯＮＵの暗号／復号バイパス指示ＢＥの初期状態を非バイパスにしておくことにより識別可能となる。
また、ＣＵあるいはＵＥからのデータではなく、ＯＬＴが生成、送信する制御用の下りデータに基づいて分割点を識別するようにしてもよい。
なお、図５のバイパス制御回路２６ＤはＲＲＵ側に配置されているが、ＰＯＮプロトコル処理回路側に配置することも可能である。
【００６６】
［第２の実施の形態の効果］
このように、本実施の形態は、バイパス制御回路１６Ｄおよびバイパス制御回路２６Ｄで、ＣＵからの下りデータあるいはＵＥからの上りデータに基づいて、無線プロトコル処理の分割点位置を識別し、この分割点位置に応じた優先制御バイパス指示ＢＰを生成するとともに、バイパス制御回路１７Ｄおよびバイパス制御回路２７Ｄで、ＣＵからの下りデータあるいはＵＥからの上りデータに基づいて、無線プロトコル処理の分割点位置を識別し、この分割点位置に応じた暗号／復号バイパス指示ＢＥを生成するようにしたものである。
【００６７】
これにより、ＯＬＴ１０やＯＮＵ２０において、ＣＵとＲＲＵとで予め分割した無線プロトコル処理の分割点に基づいて、優先制御バイパス指示ＢＰおよび暗号／復号バイパス指示ＢＥを自律的に生成される。したがって、優先制御バイパス指示ＢＰおよび暗号／復号バイパス指示ＢＥを予め設定しておく必要はなく、システムの運用に応じて、優先制御バイパス指示ＢＰおよび暗号／復号バイパス指示ＢＥを動的に変更することが可能となる。
【００６８】
［第３の実施の形態］
次に、図６および図７を参照して、本発明の第３の実施の形態にかかる無線ネットワークシステム１について説明する。
本実施の形態では、ＯＬＴ１０とＯＮＵ２０との間でやり取りする制御データに関する暗号化／符号化および優先制御について説明する。
【００６９】
図６において、ＯＬＴ１０のＰＯＮプロトコル処理回路１２とＯＮＵ２０のＰＯＮプロトコル処理回路２２は、例えば各ＯＮＵ２０に対する動的な帯域割当など、ＰＯＮ区間における光データ通信を制御するため、専用のＰＯＮプロトコルに基づいて、ＯＬＴ１０とＯＮＴ２０との間で各種の制御データをやり取りする機能を有している。本実施の形態では、ＰＯＮプロトコルとして、ＩＴＵ−Ｔ  Ｇ９８９．３（ＮＧ−ＰＯＮ２：Next Generation-PON2）で規定されているＯＭＣＣ（ONU Management and Control Channel）を用いた場合を例として説明する。
【００７０】
通常、ＯＬＴ１０とＯＮＵ２０との間でやり取りされる上り／下りデータは、暗号／復号バイパス指示ＢＥおよび優先制御バイパス指示ＢＰに基づいて、暗号化／復号化処理や優先制御処理のバイパスに関するバイパス適用／非適用が決定される。したがって、図１の構成例では、ＰＯＮプロトコル処理回路１２やＰＯＮプロトコル処理回路２２が送受信する制御データは、上り／下りデータに関するバイパス適用／非適用に依存する。
【００７１】
このため、暗号化／復号化処理がバイパス適用である場合、ＯＬＴ１０のＰＯＮプロトコル処理回路１２からＰＯＮ側へ送信する制御データは、暗号／復号バイパス回路１７により暗号／復号処理回路１３をバイパスしてＰＯＮ側へ送信されることになる。このため、図１の構成例では、ＰＯＮ区間において暗号化されていない制御データがやり取りされることになり、ＯＭＣＣで規定されている制御データの暗号化を満たすことができなくなる。逆に、予め制御データを暗号化しておくと、暗号化／復号化処理がバイパス非適用である場合、制御データに対する暗号化が重複することになり、処理負担や遅延が増加することになる。このことは、ＯＮＵ２０でも同様である。
【００７２】
また、優先制御処理がバイパス非適用かバイパス適用かに応じてＯＬＴ１０のＰＯＮプロトコル処理回路１２内の優先制御処理を変える必要がある。ＯＬＴ１０の下りのＰＯＮプロトコル処理回路１２は、ＯＭＣＣの制御データとＣＵからのデータのどちらを優先するかを決定してＰＯＮ側へ送信する必要が有る。第１および第２の実施の形態の説明ではＰＯＮプロトコル処理回路１２は一般的な公知の構成からなるものとしてＯＭＣＣ等の制御データの説明を省略したため、この機能の説明が省略されている。
【００７３】
優先制御処理がバイパス非適用の場合、ＯＭＣＣの制御データの転送によりＣＵからのデータの転送に待ち合わせが発生した場合、転送中の制御データの次に転送するデータをＣＵからのデータの中から優先度が最も高いデータを選択して転送、もしくは、ＣＵからのデータの優先度より次のＯＭＣＣのデータの優先度が高い場合は次のＯＭＣＣのデータを転送する。優先制御処理がバイパス適用の場合、データの転送の順番は優先度を考慮する必要がない。
【００７４】
なお、後述するように、暗号／復号化処理がバイパス適用の場合については、ＯＭＣＣの送信をＮＧ−ＰＯＮ２で規定されているＦＳペイロードの先頭に配置するようにすることによりＯＭＣＣの制御データの暗号化をＰＯＮ制御回路等で行えるようにするため、ＰＯＮプロトコル処理回路１２内の優先制御処理も変える必要がある。詳細は後述する。このことは、ＯＮＵ２０でも同様である。
【００７５】
本実施の形態にかかるＯＬＴ１０は、図６に示すように、ＰＯＮシステム２の制御に用いる制御データに対して暗号化／復号化処理を行う制御用暗号／復号処理回路１８を設け、制御用暗号／復号処理回路１８が、暗号／復号バイパス回路１７での暗号化／復号化処理に対するバイパス有無に応じて、具体的には、暗号／復号バイパス指示ＢＥに応じて、ＰＯＮプロトコル処理回路１２がやり取りする制御データに対する暗号化／復号化処理の適用有無を切り替えるようにしたものである。
【００７６】
また、ＯＬＴ１０において、ＰＯＮプロトコル処理回路１２が、優先制御バイパス回路１６での優先制御処理のバイパス有無に応じて、具体的には、優先制御バイパス指示ＢＰに応じて、暗号／復号処理回路１３へ出力するデータに関する、優先度ごとの制御をＰＯＮプロトコル処理回路１２内で実施するか否かを切り替えるようにしたものである。
また、ＯＬＴ１０において、ＰＯＮプロトコル処理回路１２が、優先制御バイパス回路１６での優先制御処理のバイパス有無に応じて、具体的には、優先制御バイパス指示ＢＰに応じて、優先制御バイパス回路１６に対して出力許可を出力するか優先制御回路１１に対して出力許可を出力するかを切り替えるようにしたものである。
【００７７】
なお、図６では、制御用暗号／復号処理回路１８をハードウェアとして、ＰＯＮシステム２の制御を行うＰＯＮ制御回路１９とＰＯＮプロトコル処理回路１２との間に設けた場合を例として説明するが、これに限定されるものではない。例えば、制御用暗号／復号処理回路１８をＰＯＮプロトコル処理回路１２あるいはＰＯＮ制御回路１９の内部に実装（ハードウェア／ソフトウェア）してもよい。また、ＰＯＮ制御回路１９が外部装置（図示せず）としてＯＬＴ１０に外部接続されている場合、ＯＬＴ１０と外部装置との間あるいは外部装置の内部に制御用暗号／復号処理回路１８を設けてもよい。本実施の形態にかかるＯＴＬ１０のその他構成については、前述した第１および第２の実施の形態と同様であり、ここでの説明は省略する。
【００７８】
また、本実施の形態にかかるＯＮＵ２０は、図７に示すように、ＰＯＮシステム２の制御に用いる制御データに対して暗号化／復号化処理を行う制御用暗号／復号処理回路２８を設け、制御用暗号／復号処理回路２８が、暗号／復号バイパス回路２７での暗号化／復号化処理に対するバイパス有無に応じて、具体的には、暗号／復号バイパス指示ＢＥに応じて、ＰＯＮプロトコル処理回路２２がやり取りする制御データに対する暗号化／復号化処理の適用有無を切り替えるようにしたものである。
【００７９】
また、ＯＮＵ２０において、ＰＯＮプロトコル処理回路２２が、優先制御バイパス回路２６での優先制御処理のバイパス有無に応じて、具体的には、優先制御バイパス指示ＢＰに応じて、暗号／復号処理回路２３へ出力するデータに関する、優先度ごとの制御をＰＯＮプロトコル処理回路２２内で実施するか否かを切り替えるようにしたものである。
また、ＯＮＵ２０において、ＰＯＮプロトコル処理回路２２が、優先制御バイパス回路２６での優先制御処理のバイパス有無に応じて、具体的には、優先制御バイパス指示ＢＰに応じて、優先制御バイパス回路２６に対して出力許可を出力するか優先制御回路２１に対して出力許可を出力するかを切り替えるようにしたものである。
【００８０】
なお、図７では、制御用暗号／復号処理回路２８をハードウェアとして、ＰＯＮシステム２の制御を行うＰＯＮ制御回路２９とＰＯＮプロトコル処理回路２２との間に設けた場合を例として説明するが、これに限定されるものではない。例えば、制御用暗号／復号処理回路２８をＰＯＮプロトコル処理回路２２あるいはＰＯＮ制御回路２９の内部に実装（ハードウェア／ソフトウェア）してもよい。また、ＰＯＮ制御回路２９が外部装置（図示せず）としてＯＮＵ２０に外部接続されている場合、ＯＮＵ２０と外部装置との間あるいは外部装置の内部に制御用暗号／復号処理回路２８を設けてもよい。本実施の形態にかかるＯＮＵ２０のその他構成については、前述した第１および第２の実施の形態と同様であり、ここでの説明は省略する。
【００８１】
［第３の実施の形態の動作］
次に、図６および図７を参照して、本実施の形態にかかるＰＯＮシステム２の動作について説明する。ここでは、暗号化／復号化処理および優先制御処理に対するバイパスの組み合わせごとに、ＯＬＴ１０およびＯＮＵ２０の動作を説明する。以下では、ＰＯＮプロトコルとして、ＩＴＵ−Ｔ  Ｇ９８９．３（ＮＧ−ＰＯＮ２）で規定されているＯＭＣＣを用いた場合を例として説明する。
【００８２】
［暗号化／復号化処理および優先制御処理の両方をバイパスする場合］
本実施の形態では、適用するＭＦＨにおけるＣＵ−ＲＲＵ間の機能分割に応じて、バイパスの実行／非実行を静的に設定する。具体的に、ＣＵ−ＲＲＵ間での機能分割が、前記ＭＡＣ−ＰＨＹ分割の場合に、図６および図７に示したプロトコルスタックにおいて、ＯＬＴ１０からＯＮＵ２０への下り方向における下りデータに対する処理は、ＣＵでＭＡＣ処理までを行い、それ以下のＰＨＹ処理（＝ベースバンド処理）を各ＲＲＵで実行する。
【００８３】
この分割において、ＭＡＣ処理では下り無線ユーザデータに対する優先制御が行われ、ＰＤＣＰ処理では無線ユーザデータの暗号化が行われる。つまり、ＣＵで優先制御および暗号化が行われた後の下りデータが、ＭＦＨを伝送することになる。このため、本実施の形態におけるＯＬＴ１０およびＯＮＵ２０は、ＣＵと重複する、下りの優先制御および暗号処理をバイパスする。ＯＮＵ２０からＯＬＴ１０への上り方向も同様に優先制御と復号処理をバイパスする。これは、ＲＲＵからの上りデータは、ユーザ端末（ＵＥ）もしくはＲＲＵにて暗号化および優先制御された後のデータであるからである。
【００８４】
・ＯＬＴ：上り方向
ＯＬＴ１０において、ＰＯＮプロトコル処理回路１２は、暗号／復号バイパス回路１７から上りデータと上り制御データ（ＯＭＣＣの制御データ）とを受信する。このうち、上り制御データは制御用暗号／復号処理回路１８へ出力し、上り制御データ以外の上りデータは上位装置（ＣＵ）側へ出力する。
【００８５】
この際、ＰＯＮプロトコル処理回路１２は、上り制御データの復号に必要となる、ＳＦＣ（SuperFrame Counter）やＩＦＣ（Intra-Frame Counter）などの復号情報を、上り制御データに付加して出力する。これにより、上り制御データは、制御用暗号／復号処理回路１８で復号情報に基づいて復号化された後、ＰＯＮ制御回路１９でのＰＯＮシステム２の制御に用いられる。また、上り制御データ以外の上りデータは、優先制御バイパス回路１６を介してＯＬＴ１０から上位装置側へ出力される。
【００８６】
・ＯＬＴ：下り方向
ＯＬＴ１０において、ＰＯＮプロトコル処理回路１２は、優先制御バイパス回路１６からの下りデータと、ＰＯＮ制御回路１９から出力されて制御用暗号／復号処理回路１８で暗号化された下り制御データとを取得し、これら優先制御バイパス回路１６からの下りデータと下り制御データをＦＳペイロードに挿入してＰＯＮ側へ出力する。これにより、優先制御バイパス回路１６からの下りデータおよび下り制御データは、暗号／復号バイパス回路１７を介して誤り訂正処理回路１４へ出力されることになる。
【００８７】
一般に、ＯＭＣＣの制御データを、ソフトウェアもしくはＯＬＴ１０以外の装置などの制御用暗号／復号処理回路１８で暗号化するためには、ＳＦＣとＩＦＣが必要となる。本実施の形態では、ＰＯＮプロトコル処理回路１２が、下り制御データをＦＳペイロードの先頭位置に挿入した後、優先制御バイパス回路１６からの下りデータをその後続位置に挿入するものとした。これにより、暗号化時、ＩＦＣについては、ソフトウェアが管理するＦＳヘッダ長から決定することができる。また、ＳＦＣについては、例えばＦＳヘッダ生成時にそのヘッダを送信するPHYフレームのＳＦＣをソフトウェアが指定するようにし、ＩＦＣ決定時のＳＦＣ（ＦＳペイロードが挿入されるＰＨＹフレームのＳＦＣ）を使用するようにすればよい。
【００８８】
なお、優先制御バイパス回路１６からの下りデータをＦＳペイロードに挿入する際に、データの優先度を考慮する必要はない。しかし、下り制御データの挿入が優先されるため、ＰＯＮプロトコル処理回路１２内に優先制御バイパス回路１６からの下りデータ用のバッファを搭載するか、もしくは、ＰＯＮプロトコル処理回路１２内に優先制御バイパス回路１６に対して出力を許可する機能を搭載して優先制御バイパス回路１６からの下りデータの挿入時にのみ優先制御バイパス回路１６に対して出力を許可すればよい。後者の場合は、優先制御バイパス回路１６内にバッファを搭載し、優先制御バイパス回路１６がＰＯＮプロトコル処理回路１２から出力許可が入力された場合にバッファからデータを出力する。
【００８９】
・ＯＮＵ：上り方向
ＯＮＵ２０において、ＰＯＮプロトコル処理回路２２は、優先制御バイパス回路２６からの上りデータと、ＰＯＮ制御回路２９から出力されて制御用暗号／復号処理回路２８で暗号化された上り制御データとを取得して、Ａｌｌｏｃａｔｉｏｎ−ＩＤが同じ優先制御バイパス回路２６からの下りデータと下り制御データを同一ＦＳペイロードに挿入してＰＯＮ側へ出力する。
【００９０】
この際、ＰＯＮプロトコル処理回路２２は、Ａｌｌｏｃａｔｉｏｎ−ＩＤごとに、当該Ａｌｌｏｃａｔｉｏｎ−ＩＤの上り制御データをＦＳペイロードの先頭位置に挿入した後、当該Ａｌｌｏｃａｔｉｏｎ−ＩＤの優先制御バイパス回路２６からの上りデータをその後続位置に挿入する。これにより、優先制御バイパス回路２６からの上りデータおよび上り制御データは、暗号／復号バイパス回路２７を介して誤り訂正処理回路２４へ出力されることになる。なお、制御データを含まないＡｌｌｏｃａｔｉｏｎ−ＩＤの場合や制御データがない場合、ＦＳペイロードの先頭位置から優先制御バイパス回路２６からの上りデータを挿入すればよい。
【００９１】
一般に、ＯＭＣＣの制御データを、ソフトウェアもしくはＯＮＵ以外の装置などの制御用暗号／復号処理回路２８で暗号化するためには、ＳＦＣとＩＦＣが必要となる。本実施の形態では、ＰＯＮプロトコル処理回路２２が、同一Ａｌｌｏｃａｔｉｏｎ−ＩＤの優先制御バイパス回路２６からの上りデータと上り制御データについて、上り制御データをＦＳペイロードの先頭位置に挿入した後、優先制御バイパス回路２６からの上りデータをその後続位置に挿入するものとした。これにより、暗号化時、ＩＦＣについては、上り帯域割当情報（BWmapのStartTime/GrantSize/DBRu有無／PLOAMu有無）から決定することができる。また、ＳＦＣについては、ＢＷｍａｐに対応するＳＦＣ値をソフトウェア等が管理できるようにして使用するようにすればよい。
【００９２】
なお、優先制御バイパス回路２６からの上りデータをＦＳペイロードに挿入する際に、データの優先度を考慮する必要はない。しかし、上り制御データの挿入が優先されるため、ＰＯＮプロトコル処理回路２２内に優先制御バイパス回路２６からの上りデータ用のバッファをＡｌｌｏｃａｔｉｏｎ−ＩＤごとに搭載するか、もしくは、ＰＯＮプロトコル処理回路２２内に優先制御バイパス回路２６に対して出力を許可する機能（および、出力を許可するＡｌｌｏｃａｔｉｏｎ−ＩＤの情報を出力する機能）を搭載して優先制御バイパス回路２６からの上りデータの挿入時にのみ優先制御バイパス回路２６に対して出力を許可すればよい。
【００９３】
後者の場合は、優先制御バイパス回路２６内にＡｌｌｏｃａｔｉｏｎ−ＩＤごとにバッファを搭載し、優先制御バイパス回路２６がＰＯＮプロトコル処理回路２２から出力許可（および、許可されたＡｌｌｏｃａｔｉｏｎ−ＩＤの情報）が入力された場合に許可されたＡｌｌｏｃａｔｉｏｎ−ＩＤのバッファからデータを出力する。
【００９４】
・ＯＮＵ：下り方向
ＯＮＵ２０において、ＰＯＮプロトコル処理回路２２は、暗号／復号バイパス回路２７から下りデータと下り制御データとを受信する。このうち、下り制御データは制御用暗号／復号処理回路２８へ出力し、下り制御データ以外の下りデータはユーザ端末側へ出力する。
【００９５】
この際、ＰＯＮプロトコル処理回路２２は、下り制御データの復号に必要となる、ＳＦＣやＩＦＣなどの復号情報を、下り制御データに付加して出力する。これにより、下り制御データは、制御用暗号／復号処理回路２８で復号情報に基づいて復号化された後、ＰＯＮ制御回路２９でのＰＯＮシステム２の制御に用いられる。また、下り制御データ以外の下りデータは、優先制御バイパス回路２６を介してＯＮＵ２０からユーザ端末側へ出力される。
【００９６】
［暗号化／復号化処理のみをバイパスする場合］
ＣＵ−ＲＲＵ間での機能分割がＰＤＣＰ−ＲＬＣ分割の場合には、ＰＤＣＰ処理までＣＵで実施し、それ以下のＲＬＣ処理は各ＲＲＵで実行される。つまり、ＣＵから転送される下りデータは、暗号化後であるが、優先制御前のデータである。このため、本実施の形態におけるＯＬＴ１０およびＯＮＵ２０は、当該分割したＣＵ−ＲＲＵ間のＭＦＨに適用する場合には、暗号／復号処理回路のみをバイパスする。上りも同様に、暗号・復号処理回路のみをバイパスする。
【００９７】
・ＯＬＴ：上り方向
ＯＬＴ１０において、ＰＯＮプロトコル処理回路１２は、暗号／復号バイパス回路１７から上りデータと上り制御データとを受信する。このうち、上り制御データは制御用暗号／復号処理回路１８へ出力し、上り制御データ以外の上りデータは上位装置（ＣＵ）側へ出力する。
【００９８】
この際、ＰＯＮプロトコル処理回路１２は、上り制御データの復号に必要となる、ＳＦＣやＩＦＣなどの復号情報を、上り制御データに付加して出力する。これにより、上り制御データは、制御用暗号／復号処理回路１８で復号情報に基づいて復号化された後、ＰＯＮ制御回路１９でのＰＯＮシステム２の制御に用いられる。また、上り制御データ以外の上りデータは、優先制御回路１１を介してＯＬＴ１０から上位装置側へ出力される。
【００９９】
・ＯＬＴ：下り方向
ＯＬＴ１０において、ＰＯＮプロトコル処理回路１２は、優先制御回路１１からの下りデータと、ＰＯＮ制御回路１９から出力されて制御用暗号／復号処理回路１８で暗号化された下り制御データとを取得し、これら優先制御回路１１からの下りデータと下り制御データをＦＳペイロードに挿入してＰＯＮ側へ出力する。これにより、優先制御回路１１からの下りデータおよび下り制御データは、暗号／復号バイパス回路１７を介して誤り訂正処理回路１４へ出力されることになる。
【０１００】
一般に、ＯＭＣＣの制御データを、ソフトウェアもしくはＯＬＴ１０以外の装置などの制御用暗号／復号処理回路１８で暗号化するためには、ＳＦＣとＩＦＣが必要となる。本実施の形態では、ＰＯＮプロトコル処理回路１２が、下り制御データをＦＳペイロードの先頭位置に挿入した後、優先制御回路１１からの下りデータをその後続位置に挿入するものとした。これにより、暗号化時、ＩＦＣについては、ソフトウェアが管理するＦＳヘッダ長から決定することができる。また、ＳＦＣについては、例えばＦＳヘッダ生成時にそのヘッダを送信するＰＨＹフレームのＳＦＣをソフトウェアが指定するようにし、ＩＦＣ決定時のＳＦＣ（ＦＳペイロードが挿入されるＰＨＹフレームのＳＦＣ）を使用するようにすればよい。
【０１０１】
なお、優先制御回路１１からの下りデータをＦＳペイロードに挿入する際には、データの優先度を考慮して優先度のより高いデータを優先して挿入する必要がある。そのために、ＰＯＮプロトコル処理回路１２内に優先度ごとのバッファを搭載して優先度の高いバッファからの出力（ＦＳペイロードへの挿入）を優先するようにするか、もしくは、ＰＯＮプロトコル処理回路１２内に優先制御回路１１に対して出力を許可する機能を搭載して優先制御回路１１からの下りデータの挿入時にのみ優先制御回路１１に対して出力を許可すればよい。後者の場合は、優先制御回路１１内の優先度ごとのバッファを使用し、優先制御回路１１がＰＯＮプロトコル処理回路１２から出力許可が入力された場合に優先度の高いバッファからの出力を優先して出力する。
【０１０２】
・ＯＮＵ：上り方向
ＯＮＵ２０において、ＰＯＮプロトコル処理回路２２は、優先制御回路２１からの上りデータと、ＰＯＮ制御回路２９から出力されて制御用暗号／復号処理回路２８で暗号化された上り制御データとを取得して、Ａｌｌｏｃａｔｉｏｎ−ＩＤが同じ優先制御回路２１からの上りデータと上り制御データを同一ＦＳペイロードに挿入してＰＯＮ側へ出力する。
【０１０３】
この際、ＰＯＮプロトコル処理回路２２は、Ａｌｌｏｃａｔｉｏｎ−ＩＤごとに、当該Ａｌｌｏｃａｔｉｏｎ−ＩＤの上り制御データをＦＳペイロードの先頭位置に挿入した後、当該Ａｌｌｏｃａｔｉｏｎ−ＩＤの優先制御回路２１からの上りデータをその後続位置に挿入する。これにより、優先制御回路２１からの上りデータおよび上り制御データは、暗号／復号バイパス回路２７を介して誤り訂正処理回路２４へ出力されることになる。なお、ＯＭＣＣの制御データを含まないＡｌｌｏｃａｔｉｏｎ−ＩＤの場合や、ＯＭＣＣの制御データがない場合、ＦＳペイロードの先頭位置から優先制御回路２１からの上りデータを挿入すればよい。
【０１０４】
一般に、ＯＭＣＣの制御データを、ソフトウェアもしくはＯＮＵ以外の装置などの制御用暗号／復号処理回路２８で暗号化するためには、ＳＦＣとＩＦＣが必要となる。本実施の形態では、ＰＯＮプロトコル処理回路２２が、同一Ａｌｌｏｃａｔｉｏｎ−ＩＤの優先制御回路２１からの上りデータと上り制御データについて、上り制御データをＦＳペイロードの先頭位置に挿入した後、優先制御回路２１からの上りデータをその後続位置に挿入するものとした。これにより、暗号化時、ＩＦＣについては、上り帯域割当情報（BWmapのStartTime/GrantSize/DBRu有無／PLOAMu有無）から決定することができる。また、ＳＦＣについては、ＢＷｍａｐに対応するＳＦＣ値をソフトウェア等が管理できるようにして使用するようにすればよい。
【０１０５】
なお、優先制御回路２１からの上りデータをＦＳペイロードに挿入する際には、データの優先度を考慮して優先度のより高いデータを優先して挿入する必要がある。そのために、ＰＯＮプロトコル処理回路２２内にＡｌｌｏｃａｔｉｏｎ−ＩＤごとに優先度ごとのバッファを搭載して優先度の高いバッファからの出力（ＦＳペイロードへの挿入）を優先するようにするか、もしくは、ＰＯＮプロトコル処理回路２２内に優先制御回路２１に対して出力を許可する機能（および、出力を許可するＡｌｌｏｃａｔｉｏｎ−ＩＤの情報を出力する機能）を搭載して優先制御回路２１からの上りデータの挿入時にのみ優先制御回路２１に対して出力を許可すればよい。
【０１０６】
後者の場合は、優先制御回路２１内にＡｌｌｏｃａｔｉｏｎ−ＩＤごとに優先度ごとのバッファを搭載し、優先制御回路２１がＰＯＮプロトコル処理回路２２から出力許可（および、許可されたＡｌｌｏｃａｔｉｏｎ−ＩＤの情報）が入力された場合に許可されたＡｌｌｏｃａｔｉｏｎ−ＩＤの優先度の高いバッファからの出力を優先して出力する。
なお、前者の場合、後者の場合のどちらの場合でも、優先度ごとにＡｌｌｏｃａｔｉｏｎ−ＩＤを使い分ける場合は、Ａｌｌｏｃａｔｉｏｎ−ＩＤごとに優先度ごとのバッファを搭載する必要はなく、Ａｌｌｏｃａｔｉｏｎ−ＩＤのみでＦＳペイロードに挿入するデータ（後者の場合は、優先制御回路２１が出力するデータ）を決定することができる。
【０１０７】
・ＯＮＵ：下り方向
ＯＮＵ２０において、ＰＯＮプロトコル処理回路２２は、暗号／復号バイパス回路２７から下りデータと下り制御データとを受信する。このうち、下り制御データは制御用暗号／復号処理回路２８へ出力し、下り制御データ以外の下りデータはユーザ端末側へ出力する。
【０１０８】
この際、ＰＯＮプロトコル処理回路２２は、下り制御データの復号に必要となる、ＳＦＣやＩＦＣなどの復号情報を、下り制御データに付加して出力する。これにより、下り制御データは、制御用暗号／復号処理回路２８で復号情報に基づいて復号化された後、ＰＯＮ制御回路２９でのＰＯＮシステム２の制御に用いられる。また、下り制御データ以外の下りデータは、優先制御回路２１を介してＯＮＵ２０からユーザ端末側へ出力される。
【０１０９】
［暗号化／復号化処理および優先制御処理のいずれもバイパスしない場合］
・ＯＬＴ：上り方向
ＯＬＴ１０において、ＰＯＮプロトコル処理回路１２は、暗号／復号処理回路１３から上りデータと上り制御データとを受信する。このうち、上り制御データは制御用暗号／復号処理回路１８へ出力し、上り制御データ以外の上りデータは上位装置（ＣＵ）側へ出力する。
【０１１０】
この際、上り制御データは暗号／復号処理回路１３で復号されているため、ＳＦＣやＩＦＣなどの復号情報は不要であり、上り制御データに付加して出力する必要はない。また、制御用暗号／復号処理回路１８は、上り制御データを復号化することなく、そのままＰＯＮ制御回路１９へ出力する。また、上り制御データ以外の上りデータは、優先制御回路１１を介してＯＬＴ１０から上位装置側へ出力される。
【０１１１】
・ＯＬＴ：下り方向
ＯＬＴ１０において、ＰＯＮプロトコル処理回路１２は、優先制御回路１１からの下りデータと、ＰＯＮ制御回路１９から出力されて制御用暗号／復号処理回路１８で暗号化されていない下り制御データとを取得し、これら優先制御回路１１からの下りデータと下り制御データをＦＳペイロードに挿入してＰＯＮ側へ出力する。これにより、優先制御回路１１からの下りデータおよび下り制御データは、暗号／復号処理回路１３を介して誤り訂正処理回路１４へ出力されることになる。
【０１１２】
ＦＳペイロードへの挿入の際にはデータの優先度を考慮して優先度のより高いデータを優先して挿入する必要がある。そのために、ＰＯＮプロトコル処理回路１２内に優先度ごとのバッファを搭載して優先度の高いバッファからの出力（ＦＳペイロードへの挿入）を優先するようにするか、もしくは、ＰＯＮプロトコル処理回路１２内に下り制御データ用の優先度ごとのバッファと優先制御回路１１に対して出力を許可する機能を搭載して優先制御回路１１からの下りデータの挿入時にのみ優先制御回路１１に対して出力を許可すればよい。
【０１１３】
前者の場合は、優先制御回路１１からの下りデータと下り制御データを優先度に応じて同じバッファに格納するようにするか、もしくは、優先制御回路１１からの下りデータ用のバッファと下り制御データ用のバッファをそれぞれ別々に優先度ごとに搭載して優先制御回路１１からの下りデータの優先度と下り制御データの優先度が同じ場合には例えば交互にＦＳペイロードへ挿入するようにすればよい。
【０１１４】
後者の場合は、ＰＯＮプロトコル処理回路１２が優先制御回路１１からの下りデータと下り制御データのどちらをどの程度の頻度で挿入するか等を設定等により決定して、下り制御データをＦＳペイロードへ挿入する場合にはＰＯＮプロトコル処理回路１２内の下り制御データ用のバッファから優先度に従って挿入し、優先制御回路１１からの下りデータをＦＳペイロードへ挿入する場合には優先制御回路１１内の優先度ごとのバッファを使用して優先制御回路１１がＰＯＮプロトコル処理回路１２から出力許可が入力された場合に優先度の高いバッファからの出力を優先して出力する。
なお、前者の場合、後者の場合のどちらの場合でも、下り制御データのＦＳペイロードへの挿入を優先制御回路１１からの下りデータの挿入よりも優先するようにしてもよい。
【０１１５】
・ＯＮＵ：上り方向
ＯＮＵ２０において、ＰＯＮプロトコル処理回路２２は、優先制御回路２１からの上りデータと、ＰＯＮ制御回路２９から出力されて制御用暗号／復号処理回路２８で暗号化されていない上り制御データとを取得して、Ａｌｌｏｃａｔｉｏｎ−ＩＤが同じ優先制御回路２１からの上りデータと上り制御データを同一ＦＳペイロードに挿入してＰＯＮ側へ出力する。
【０１１６】
ＦＳペイロードへの挿入の際には、データの優先度を考慮して優先度のより高いデータを優先して挿入する必要がある。そのために、ＰＯＮプロトコル処理回路２２内にＡｌｌｏｃａｔｉｏｎ−ＩＤごとに優先度ごとのバッファを搭載して優先度の高いバッファからの出力（ＦＳペイロードへの挿入）を優先するようにするか、もしくは、ＰＯＮプロトコル処理回路２２内に上り制御データ用の優先度ごとのバッファと優先制御回路２１に対して出力を許可する機能（および、出力を許可するＡｌｌｏｃａｔｉｏｎ−ＩＤの情報を出力する機能）を搭載して優先制御回路２１からの上りデータの挿入時にのみ優先制御回路２１に対して出力を許可すればよい。
【０１１７】
前者の場合は、優先制御回路２１からの上りデータと上り制御データを優先度に応じて同じバッファに格納するようにするか、もしくは、優先制御回路２１からの上りデータ用のバッファと上り制御データ用のバッファをそれぞれ別々に優先度ごとに搭載して優先制御回路２１からの上りデータの優先度と上り制御データの優先度が同じ場合には例えば交互にＦＳペイロードへ挿入するようにすればよい。
【０１１８】
後者の場合は、ＰＯＮプロトコル処理回路２２が優先制御回路２１からの上りデータと上り制御データのどちらをどの程度の頻度で挿入するか等を設定等により決定して、上り制御データをＦＳペイロードへ挿入する場合にはＰＯＮプロトコル処理回路２２内の上り制御データ用のバッファから優先度に従って挿入し、優先制御回路２１からの上りデータをＦＳペイロードへ挿入する場合には、優先制御回路２１内にＡｌｌｏｃａｔｉｏｎ−ＩＤごとに優先度ごとのバッファを搭載し、優先制御回路２１がＰＯＮプロトコル処理回路２２から出力許可（および、許可されたＡｌｌｏｃａｔｉｏｎ−ＩＤの情報）が入力された場合に許可されたＡｌｌｏｃａｔｉｏｎ−ＩＤの優先度の高いバッファからの出力を優先して出力する。
【０１１９】
なお、前者の場合、後者の場合のどちらの場合でも、優先度ごとにＡｌｌｏｃａｔｉｏｎ−ＩＤを使い分ける場合は、Ａｌｌｏｃａｔｉｏｎ−ＩＤごとに優先度ごとのバッファを搭載する必要はなく、Ａｌｌｏｃａｔｉｏｎ−ＩＤのみでＦＳペイロードに挿入するデータ（後者の場合は、優先制御回路２１が出力するデータ）を決定することができる。
また、前者の場合、後者の場合のどちらの場合でも、上り制御データのＦＳペイロードへの挿入を優先制御回路２１からの上りデータの挿入よりも優先するようにしてもよい。
【０１２０】
・ＯＮＵ：下り方向
ＯＮＵ２０において、ＰＯＮプロトコル処理回路２２は、暗号／復号処理回路２３から下りデータと下り制御データとを受信する。このうち、下り制御データは制御用暗号／復号処理回路２８へ出力し、下り制御データ以外の下りデータはユーザ端末側へ出力する。
【０１２１】
［第３の実施の形態の効果］
このように、本実施の形態は、ＯＬＴ１０に、ＰＯＮシステム２の制御に用いる制御データに対して暗号化／復号化処理を行う制御用暗号／復号処理回路１８を設けるとともに、バイパス回路として、バイパス指示に応じて暗号／復号処理回路１３での暗号化／復号化処理をバイパスする暗号／復号バイパス回路１７を設け、制御用暗号／復号処理回路１８が、暗号／復号バイパス回路１７での暗号化／復号化処理に対するバイパス有無に応じて、ＰＯＮプロトコル処理回路１２がやり取りする制御データに対する暗号化／復号化処理の適用有無を切り替えるようにしたものである。
【０１２２】
あるいは、ＯＮＵ２０に、ＰＯＮシステム２の制御に用いる制御データに対して暗号化／復号化処理を行う制御用暗号／復号処理回路２８を設けるとともに、バイパス回路として、バイパス指示に応じて暗号／復号処理回路２３での暗号化／復号化処理をバイパスする暗号／復号バイパス回路２７を設け、制御用暗号／復号処理回路２８が、暗号／復号バイパス回路２７での暗号化／復号化処理に対するバイパス有無に応じて、ＰＯＮプロトコル処理回路１２がやり取りする制御データに対する暗号化／復号化処理の適用有無を切り替えるようにしたものである。
【０１２３】
これにより、ＯＬＴ１０において、暗号／復号バイパス回路１７により暗号化／復号化処理がバイパスされた場合、ＰＯＮプロトコル処理回路１２がやり取りする制御データが、制御用暗号／復号処理回路１８で暗号化／復号化処理されることになる。また、ＯＮＵ２０において、暗号／復号バイパス回路２７により暗号化／復号化処理がバイパスされた場合、ＰＯＮプロトコル処理回路２２がやり取りする制御データが、制御用暗号／復号処理回路２８で暗号化／復号化処理されることになる。
【０１２４】
したがって、ＰＯＮ区間において暗号化されていない制御データがやり取りされることを回避でき、ＯＭＣＣで規定されている制御データの暗号化を満たすことが可能となる。逆に、予め制御データを暗号化しておく場合と比較して、暗号化／復号化処理がバイパス非適用である場合の制御データに対する暗号化の重複を回避でき、処理負担や遅延の増加を回避することが可能となる。
【０１２５】
また、本実施の形態は、ＯＬＴ１０に、バイパス回路として、バイパス指示に応じて優先制御処理をバイパスする優先制御バイパス回路１６を設け、ＰＯＮプロトコル処理回路１２が、優先制御バイパス回路１６での優先制御処理のバイパス有無に応じて、暗号／復号処理回路１３へ出力するデータに関する、優先度ごとの制御をＰＯＮプロトコル処理回路１２内で実施するか否かを切り替えるようにしたものである。
【０１２６】
あるいは、ＯＮＵ２０に、バイパス回路として、バイパス指示に応じて優先制御処理をバイパスする優先制御バイパス回路２６を設け、ＰＯＮプロトコル処理回路２２が、優先制御バイパス回路２６での優先制御処理のバイパス有無に応じて、暗号／復号処理回路２３へ出力するデータに関する、優先度ごとの制御（優先度ごとのバッファリング等）をＰＯＮプロトコル処理回路２２内で実施するか否かを切り替えるようにしたものである。
【０１２７】
これにより、ＯＬＴ１０において、優先制御バイパス回路１６により優先制御処理がバイパスされない場合には、暗号／復号処理回路１３へ出力するデータが、優先度ごとに制御（優先度ごとのバッファリング等）されることになる。したがって、制御データの出力（ＦＳペイロードへの挿入）との競合が発生しても、優先制御回路１１が出力したデータの優先度を適切に維持することが可能となる。
【０１２８】
また、本実施の形態は、ＯＬＴ１０に、バイパス回路として、バイパス指示に応じて優先制御処理をバイパスする優先制御バイパス回路１６を設け、ＰＯＮプロトコル処理回路１２が、優先制御バイパス回路１６での優先制御処理のバイパス有無に応じて、優先制御バイパス回路１６に対して出力許可を出力するか優先制御回路１１に対して出力許可を出力するかを切り替えるようにしたものである。
【０１２９】
あるいは、ＯＮＵ２０に、バイパス回路として、バイパス指示に応じて優先制御処理をバイパスする優先制御バイパス回路２６を設け、ＰＯＮプロトコル処理回路２２が、優先制御バイパス回路２６での優先制御処理のバイパス有無に応じて、優先制御バイパス回路２６に対して出力許可を出力するか優先制御回路２１に対して出力許可を出力するかを切り替えるようにしたものである。
【０１３０】
これにより、ＯＬＴ１０において、優先制御バイパス回路１６により優先制御処理がバイパスされない場合には、出力許可が入力されている時のみ優先制御回路１１がデータを出力し、優先制御処理がバイパスされる場合には、出力許可が入力されている時のみ優先制御バイパス回路１６がデータを出力する。制御データをＦＳペイロードに挿入する際にＰＯＮプロトコル処理回路１２が出力許可を出力しないようにすることにより、ＰＯＮプロトコル処理回路１２内に優先制御回路１１もしくは制御バイパス回路１６からのデータ用のバッファを搭載しないで優先制御回路１１もしくは優先制御バイパス回路１６内のバッファを使用して制御データとその他のデータ（優先制御回路１１もしくは優先制御バイパス回路１６からのデータ）の競合制御（ＦＳペイロードへの挿入の順序制御）を行うことができる。
【０１３１】
また、優先制御処理がバイパスされない場合に、制御データをＦＳペイロードに挿入する際にＰＯＮプロトコル処理回路１２が出力許可を出力しないようにすることにより、優先制御回路１１の出力はＰＯＮプロトコル処理回路１２内で制御データの出力（ＦＳペイロードへの挿入）との競合が発生しなくなるので、優先制御回路１１が出力したデータの優先度をそのまま維持する（優先制御回路１１が出力した順番のまま出力する）ことが可能となる。
ＯＮＵ２０についてもＯＬＴ１０と同様の効果がある。
【０１３２】
［第４の実施の形態］
次に、図８および図９を参照して、本発明の第４の実施の形態にかかる無線ネットワークシステム１について説明する。
本実施の形態では、ＯＬＴ１０とＯＮＵ２０との間でやり取りする制御データに関する暗号化／符号化および優先制御について説明する。
【０１３３】
第３の実施の形態では、優先制御バイパス指示ＢＰおよび暗号／復号バイパス指示ＢＥを予め設定しておく場合について説明した。本実施の形態では、ＯＬＴ１０やＯＮＵ２０において、ＣＵやＲＲＵからのデータに付与されているタグ値に基づいて、ＣＵとＲＲＵとで予め分割した無線プロトコル処理の分割点を識別して、優先制御バイパス指示ＢＰおよび暗号／復号バイパス指示ＢＥを自律的に生成する場合について説明する。
【０１３４】
図８に示すように、本実施の形態にかかるＯＬＴ１０には、図２と比較して、優先制御バイパス回路１６にはバイパス制御回路１６Ｅが追加されているとともに、同じく暗号／復号バイパス回路１７にはバイパス制御回路１７Ｅが追加されている。これらバイパス制御回路１６Ｅ，１７Ｅは、図４のバイパス制御回路１６Ｄ，１７Ｄに相当する。
【０１３５】
バイパス制御回路１６Ｅは、ＣＵとＲＲＵとで予め分割した無線プロトコル処理の分割点の位置を、ＣＵから出力された下りデータあるいはＵＥから出力された上りデータに含まれるタグ値から識別する機能と、得られた分割点の位置に応じて優先制御バイパス指示ＢＰを生成してＳＥＬ１６Ｂ，１６Ｃへ出力する機能を有している。
バイパス制御回路１７Ｅは、ＣＵとＲＲＵとで予め分割した無線プロトコル処理の分割点の位置を、ＣＵから出力された下りデータあるいはＵＥから出力された上りデータに含まれるタグ値から識別する機能と、得られた分割点の位置に応じて暗号／復号バイパス指示ＢＥを生成してＳＥＬ１７Ｂ，１７Ｃへ出力する機能を有している。
【０１３６】
バイパス制御回路１６Ｅおよびバイパス制御回路１７Ｅにおけるバイパス指示の生成処理については、ＣＵやＲＲＵで制御情報として上りデータあるいは下りデータに付与した、分割点位置を示す新たなタグ情報で、予め設定されているテーブルを参照することにより、優先制御バイパス指示ＢＰおよび暗号／復号バイパス指示ＢＥを生成してもよい。例えば、ＭＡＣ−ＰＨＹ分割方式を示すタグ値「０」に対応して、テーブルに２ビットの指示データ「１１」（バイナリ値）を設定し、ＰＤＣＰ−ＲＬＣ分割方式を示すタグ値「１」に対応して、テーブルに２ビットの指示データ「０１」（バイナリ値）を設定しておけばよい。
【０１３７】
この指示データの上位ビットが優先制御バイパス指示ＢＰ（１…バイパス，０…非バイパス）に相当し、下位ビットが暗号／復号バイパス指示ＢＥ（１…バイパス，０…非バイパス）に相当している。したがって、取得したタグ値がＭＡＣ−ＰＨＹ分割方式を示す「０」であった場合、テーブルから得た指示データ「１１」に基づき、「バイパス」を指示する優先制御バイパス指示ＢＰおよび暗号／復号バイパス指示ＢＥが出力される。また、取得したタグ値がＰＤＣＰ−ＲＬＣ分割方式を示す「１」であった場合、テーブルから得た指示データ「０１」に基づき、「非バイパス」を指示する優先制御バイパス指示ＢＰと「バイパス」を指示する暗号／復号バイパス指示ＢＥとが出力される。
【０１３８】
図９に示すように、本実施の形態にかかるＯＮＵ２０には、図３と比較して、優先制御バイパス回路２６にはバイパス制御回路２６Ｅが追加されているとともに、同じく暗号／復号バイパス回路２７にはバイパス制御回路２７Ｅが追加されている。これらバイパス制御回路２６Ｅ，２７Ｅは、図５のバイパス制御回路２６Ｄ，２７Ｄに相当する。
【０１３９】
バイパス制御回路２６Ｅは、ＣＵとＲＲＵとで予め分割した無線プロトコル処理の分割点の位置を、ＣＵから出力された下りデータあるいはＵＥから出力された上りデータに含まれるタグ値から識別する機能と、得られた分割点の位置に応じて優先制御バイパス指示ＢＰを生成してＳＥＬ２６Ｂ，２６Ｃへ出力する機能を有している。
バイパス制御回路２７Ｅは、ＣＵとＲＲＵとで予め分割した無線プロトコル処理の分割点の位置を、ＣＵから出力された下りデータあるいはＵＥから出力された上りデータに含まれるタグ値から識別する機能と、得られた分割点の位置に応じて暗号／復号バイパス指示ＢＥを生成してＳＥＬ２７Ｂ，２７Ｃへ出力する機能を有している。
【０１４０】
これにより、バイパス制御回路２６Ｅで、ＣＵからの下りデータあるいはＵＥからの上りデータに基づいて、無線プロトコル処理の分割点位置が識別されて、分割点位置に応じた優先制御バイパス指示ＢＰがＳＥＬ２６Ｂ，２６Ｃへ出力される。また、バイパス制御回路２７Ｄで、ＣＵからの下りデータあるいはＵＥからの上りデータに基づいて、無線プロトコル処理の分割点位置が識別されて、分割点位置に応じた暗号／復号バイパス指示ＢＥがＳＥＬ２７Ｂ，２７Ｃへ出力される。
なお、バイパス制御回路２６Ｅおよびバイパス制御回路２７Ｅにおけるバイパス指示の生成処理については、前述したバイパス制御回路１６Ｅおよびバイパス制御回路１７Ｅと同様である。
【０１４１】
また、ＯＮＵにおいて下りデータに基づいて無線プロトコル処理の分割点位置を識別する場合、下りデータが暗号化されていると復号しないと識別できない場合が想定されるが、ＯＮＵ内の下りの暗号／復号処理回路に暗号化データを復号して転送する機能だけではなく非暗号化データをそのまま転送する機能も搭載し、ＯＮＵの暗号／復号バイパス指示ＢＥの初期状態を非バイパスにしておくことにより識別可能となる。
また、ＣＵあるいはＵＥからのデータではなく、ＯＬＴが生成、送信する下り制御データに基づいて分割点を識別するようにしてもよい。
なお、図９のバイパス制御回路２６ＥはＲＲＵ側に配置されているが、ＰＯＮプロトコル処理回路側に配置することも可能である。
【０１４２】
［第４の実施の形態の効果］
このように、本実施の形態は、バイパス制御回路１６Ｅおよびバイパス制御回路２６Ｅで、ＣＵからの下りデータあるいはＵＥからの上りデータに基づいて、無線プロトコル処理の分割点位置を識別し、この分割点位置に応じた優先制御バイパス指示ＢＰを生成するとともに、バイパス制御回路１７Ｅおよびバイパス制御回路２７Ｅで、ＣＵからの下りデータあるいはＵＥからの上りデータに基づいて、無線プロトコル処理の分割点位置を識別し、この分割点位置に応じた暗号／復号バイパス指示ＢＥを生成するようにしたものである。
【０１４３】
これにより、第３の実施の形態にかかるＯＬＴ１０やＯＮＵ２０において、ＣＵとＲＲＵとで予め分割した無線プロトコル処理の分割点に基づいて、優先制御バイパス指示ＢＰおよび暗号／復号バイパス指示ＢＥを自律的に生成される。したがって、優先制御バイパス指示ＢＰおよび暗号／復号バイパス指示ＢＥを予め設定しておく必要はなく、システムの運用に応じて、優先制御バイパス指示ＢＰおよび暗号／復号バイパス指示ＢＥを動的に変更することが可能となる。このため、ＣＵ−ＲＲＵ間の機能分割点が異なる、様々なＣＵ・ＲＲＵを同じＰＯＮ区間で収容する場合においても、それぞれの機能分割点に応じた遅延時間の低減が可能になる。
【０１４４】
［第５の実施の形態］
次に、図１０および図１１を参照して、本発明の第５の実施の形態にかかる無線ネットワークシステム１について説明する。
本実施の形態では、ＯＬＴ１０とＯＮＵ２０との間でやり取りする制御データに関する暗号化／符号化および優先制御について、第３の実施の形態で説明したＮＧ−ＰＯＮ２ではなく、ＩＥＥＥ１９０４．１で規定されているＳＩＥＰＯＮ（Service Interoperability in Ethernet Passive Optical. Networks）からなるＰＯＮプロトコルを用いた場合について説明する。
【０１４５】
本実施の形態において、第３の実施の形態と違いは、ＯＬＴ１０およびＯＮＵ２０において、データおよび制御データがそれぞれ個別のフレームでやり取りされる点にある。また、制御データ（制御フレーム）の暗号化が必須ではないため、ＰＯＮプロトコル処理回路１２，２２において、出力する制御フレームに復号情報を付加する必要がなく、制御用暗号／復号処理回路の搭載も不要となる。
本実施の形態にかかるＯＬＴ１０およびＯＮＵ２０のその他構成については、前述した第３の実施の形態と同様であり、ここでの説明は省略する。
【０１４６】
［第５の実施の形態の動作］
次に、図１０および図１１を参照して、本実施の形態にかかるＰＯＮシステム２の動作について説明する。ここでは、暗号化／復号化処理および優先制御処理に対するバイパスの組み合わせごとに、ＯＬＴ１０およびＯＮＵ２０の動作を説明する。以下では、ＰＯＮプロトコルとして、ＩＥＥＥ１９０４．１で規定されているＳＩＥＰＯＮを用いた場合を例として説明する。
【０１４７】
［暗号化／復号化処理および優先制御処理の両方をバイパスする場合］
・ＯＬＴ：上り方向
ＯＬＴ１０において、ＰＯＮプロトコル処理回路１２は、暗号／復号バイパス回路１７から上りフレームと上り制御フレーム（ＭＰＣＰフレーム／ＯＡＭフレーム等）とを受信する。このうち、上り制御フレームはＰＯＮ制御回路１９へ出力し、上り制御フレーム以外の上りフレームは上位装置（ＣＵ）側へ出力する。
これにより、上り制御フレームは、ＰＯＮ制御回路１９でのＰＯＮシステム２の制御に用いられる。また、上り制御フレーム以外の上りフレームは、優先制御バイパス回路１６を介してＯＬＴ１０から上位装置側へ出力される。
【０１４８】
・ＯＬＴ：下り方向
ＯＬＴ１０において、ＰＯＮプロトコル処理回路１２は、優先制御バイパス回路１６からの下りフレームと、ＰＯＮ制御回路１９から出力された下り制御フレームとを取得し、ＰＯＮ側へ出力する。
これにより、下りフレームおよび下り制御フレームは、暗号／復号バイパス回路１７を介して誤り訂正処理回路１４へ出力されることになる。この際、ＰＯＮプロトコル処理回路１２が、優先制御バイパス回路１６からの下りフレームおよび下り制御フレームのどちらを優先して出力するかについては、任意でよいが、下り制御フレームを優先して出力するようにしてもよい。
【０１４９】
なお、下り制御フレームの出力と優先制御バイパス回路１６からの下りフレームの出力を同時に行うことはできないため、ＰＯＮプロトコル処理回路１２内に優先制御バイパス回路１６からの下りフレーム用のバッファを搭載するか、もしくは、ＰＯＮプロトコル処理回路１２内に優先制御バイパス回路１６に対して出力を許可する機能を搭載して優先制御バイパス回路１６からの下りフレームを出力する時にのみ優先制御バイパス回路１６に対して出力を許可する必要がある。後者の場合は、優先制御バイパス回路１６内にバッファを搭載し、優先制御バイパス回路１６がＰＯＮプロトコル処理回路１２から出力許可が入力された場合にバッファからフレームを出力する。
【０１５０】
・ＯＮＵ：上り方向
ＯＮＵ２０において、ＰＯＮプロトコル処理回路２２は、優先制御バイパス回路２６からの上りフレームと、ＰＯＮ制御回路２９から出力された上り制御フレームとを取得して、ＬＬＩＤ（Logical Link. ID）ごとにＰＯＮ側へ出力する。
これにより、優先制御バイパス回路２６からの上りフレームおよび上り制御フレームは、暗号／復号バイパス回路２７を介して誤り訂正処理回路２４へ出力されることになる。この際、ＰＯＮプロトコル処理回路２２が、優先制御バイパス回路２６からの上りフレームおよび上り制御フレームのどちらを優先して出力するかについては、任意でよいが、上り制御フレームを優先して出力するようにしてもよい。
【０１５１】
なお、上り制御フレームの出力と優先制御バイパス回路２６からの上りフレームの出力を同時に行うことはできないため、ＰＯＮプロトコル処理回路２２内に優先制御バイパス回路２６からの上りフレーム用のバッファをＬＬＩＤごとに搭載するか、もしくは、ＰＯＮプロトコル処理回路２２内に優先制御バイパス回路２６に対して出力を許可する機能（および、出力を許可するＬＬＩＤの情報を出力する機能）を搭載して優先制御バイパス回路２６からの上りフレームを出力する時にのみ優先制御バイパス回路２６に対して出力を許可する必要がある。後者の場合は、優先制御バイパス回路２６内にＬＬＩＤごとにバッファを搭載し、優先制御バイパス回路２６がＰＯＮプロトコル処理回路２２から出力許可（および、許可されたＬＬＩＤの情報）が入力された場合に許可されたＬＬＩＤのバッファからフレームを出力する。
【０１５２】
・ＯＮＵ：下り方向
ＯＮＵ２０において、ＰＯＮプロトコル処理回路２２は、暗号／復号バイパス回路２７から下りフレームと下り制御フレームとを受信する。このうち、下り制御フレームはＰＯＮ制御回路２９へ出力し、下り制御フレーム以外の下りフレームはユーザ端末側へ出力する。
これにより、下り制御フレームは、ＰＯＮ制御回路２９でのＰＯＮシステム２の制御に用いられる。また、下り制御フレーム以外の下りフレームは、優先制御バイパス回路２６を介してＯＮＵ２０からユーザ端末側へ出力される。
【０１５３】
［暗号化／復号化処理のみをバイパスする場合］
・ＯＬＴ：上り方向
ＯＬＴ１０において、ＰＯＮプロトコル処理回路１２は、暗号／復号バイパス回路１７から上りフレームと上り制御フレームとを受信する。このうち、上り制御フレームはＰＯＮ制御回路１９へ出力し、上り制御フレーム以外の上りフレームは上位装置（ＣＵ）側へ出力する。
これにより、上り制御フレームは、ＰＯＮ制御回路１９でのＰＯＮシステム２の制御に用いられる。また、上り制御フレーム以外の上りフレームは、優先制御回路１１を介してＯＬＴ１０から上位装置側へ出力される。
【０１５４】
・ＯＬＴ：下り方向
ＯＬＴ１０において、ＰＯＮプロトコル処理回路１２は、優先制御回路１１からの下りフレームと、ＰＯＮ制御回路１９から出力された下り制御フレームとを取得し、優先度に応じてＰＯＮ側へ出力する。
これにより、優先制御回路１１からの下りフレームおよび下り制御フレームは、暗号／復号無バイパス回路１７を介して誤り訂正処理回路１４へ出力されることになる。
【０１５５】
なお、フレームの優先度を考慮する必要があるため、ＰＯＮプロトコル処理回路１２内に優先度ごとのバッファを搭載して優先度の高いバッファからの出力を優先するようにするか、もしくは、ＰＯＮプロトコル処理回路１２内に優先制御回路１１に対して出力を許可する機能を搭載して優先制御回路１１からの下りフレームを出力する時にのみ優先制御回路１１に対して出力を許可する必要がある。後者の場合は、優先制御回路１１内の優先度ごとのバッファを使用し、優先制御回路１１がＰＯＮプロトコル処理回路１２から出力許可が入力された場合に優先度の高いバッファからの出力を優先して出力する。
【０１５６】
・ＯＮＵ：上り方向
ＯＮＵ２０において、ＰＯＮプロトコル処理回路２２は、優先制御回路２１からの上りフレームと、ＰＯＮ制御回路２９から出力された上り制御フレームとを取得して、ＬＬＩＤごとにＰＯＮ側へ出力する。
これにより、優先制御回路２１からの上りフレームおよび上り制御フレームは、暗号／復号バイパス回路２７を介して誤り訂正処理回路２４へ出力されることになる。この際、ＰＯＮプロトコル処理回路２２が、優先制御回路２１からの上りフレームおよび上り制御フレームのどちらを優先して出力するかについては、フレームの優先度を考慮する必要がある。
【０１５７】
そのため、ＰＯＮプロトコル処理回路２２内にＬＬＩＤごとに優先度ごとのバッファを搭載して優先度の高いバッファからの出力を優先するようにするか、もしくは、ＰＯＮプロトコル処理回路２２内に優先制御回路２１に対して出力を許可する機能（および、出力を許可するＬＬＩＤの情報を出力する機能）を搭載して優先制御回路２１からの上りフレームを出力する時にのみ優先制御回路２１に対して出力を許可する必要がある。
【０１５８】
後者の場合は、優先制御回路２１内にＬＬＩＤごとに優先度ごとのバッファを搭載し、優先制御回路２１がＰＯＮプロトコル処理回路２２から出力許可（および、許可されたＬＬＩＤの情報）が入力された場合に許可されたＬＬＩＤの優先度の高いバッファからの出力を優先して出力する。
なお、前者の場合、後者の場合のどちらの場合でも、優先度ごとにＬＬＩＤを使い分ける場合は、ＬＬＩＤごとに優先度ごとのバッファを搭載する必要はなく、ＬＬＩＤのみで出力するフレーム（後者の場合は、優先制御回路２１が出力するフレーム）を決定することができる。
【０１５９】
・ＯＮＵ：下り方向
ＯＮＵ２０において、ＰＯＮプロトコル処理回路２２は、暗号／復号バイパス回路２７から下りフレームと下り制御フレームとを受信する。このうち、下り制御フレームはＰＯＮ制御回路２９へ出力し、下り制御フレーム以外の下りフレームはユーザ端末側へ出力する。
これにより、下り制御フレームは、ＰＯＮ制御回路２９でのＰＯＮシステム２の制御に用いられる。また、下り制御フレーム以外の下りフレームは、優先制御回路２１を介してＯＮＵ２０からユーザ端末側へ出力される。
【０１６０】
［暗号化／復号化処理および優先制御処理のいずれもバイパスしない場合］
・ＯＬＴ：上り方向
ＯＬＴ１０において、ＰＯＮプロトコル処理回路１２は、暗号／復号処理回路１３から上りフレームと上り制御フレームとを受信する。このうち、上り制御フレームはＰＯＮ制御回路１９へ出力し、上り制御フレーム以外の上りフレームは上位装置（ＣＵ）側へ出力する。
これにより、上り制御フレームはＰＯＮ制御回路１９でのＰＯＮシステム２の制御に用いられる。また、上り制御フレーム以外の上りフレームは、優先制御回路１１を介してＯＬＴ１０から上位装置側へ出力される。
【０１６１】
・ＯＬＴ：下り方向
ＯＬＴ１０において、ＰＯＮプロトコル処理回路１２は、優先制御回路１１からの下りフレームと、ＰＯＮ制御回路１９から出力された下り制御フレームとを取得し、優先度に基づいてＰＯＮ側へ出力する。
これにより、優先制御回路１１からの下りフレームおよび下り制御フレームは、暗号／復号処理回路１３を介して誤り訂正処理回路１４へ出力されることになる。この際、ＰＯＮプロトコル処理回路１２が、下りフレームおよび下り制御フレームのどちらを優先して出力するかについては、フレームの優先度を考慮する必要がある。
【０１６２】
そのため、ＰＯＮプロトコル処理回路１２内に優先度ごとのバッファを搭載して優先度の高いバッファからの出力を優先するようにするか、もしくは、ＰＯＮプロトコル処理回路１２内に優先制御回路１１に対して出力を許可する機能を搭載して優先制御回路１１からの下りフレームを出力する時にのみ優先制御回路１１に対して出力を許可する必要がある。後者の場合は、優先制御回路１１内の優先度ごとのバッファを使用し、優先制御回路１１がＰＯＮプロトコル処理回路１２から出力許可が入力された場合に優先度の高いバッファからの出力を優先して出力する。
【０１６３】
・ＯＮＵ：上り方向
ＯＮＵ２０において、ＰＯＮプロトコル処理回路２２は、優先制御回路２１からの上りフレームと、ＰＯＮ制御回路２９から出力された上り制御フレームとを取得して、ＬＬＩＤごとにＰＯＮ側へ出力する。
これにより、優先制御回路２１からの上りフレームおよび上り制御フレームは、暗号／復号処理回路２３を介して誤り訂正処理回路２４へ出力されることになる。この際、ＰＯＮプロトコル処理回路２２が、上りフレームおよび上り制御フレームのどちらを優先して出力するかについては、フレームの優先度を考慮する必要がある。
【０１６４】
そのため、ＰＯＮプロトコル処理回路２２内にＬＬＩＤごとに優先度ごとのバッファを搭載して優先度の高いバッファからの出力を優先するようにするか、もしくは、ＰＯＮプロトコル処理回路２２内に優先制御回路２１に対して出力を許可する機能（および、出力を許可するＬＬＩＤの情報を出力する機能）を搭載して優先制御回路２１からの上りフレームを出力する時にのみ優先制御回路２１に対して出力を許可する必要がある。
【０１６５】
後者の場合は、優先制御回路２１内にＬＬＩＤごとに優先度ごとのバッファを搭載し、優先制御回路２１がＰＯＮプロトコル処理回路２２から出力許可（および、許可されたＬＬＩＤの情報）が入力された場合に許可されたＬＬＩＤの優先度の高いバッファからの出力を優先して出力する。
なお、前者の場合、後者の場合のどちらの場合でも、優先度ごとにＬＬＩＤを使い分ける場合は、ＬＬＩＤごとに優先度ごとのバッファを搭載する必要はなく、ＬＬＩＤのみで出力するフレーム（後者の場合は、優先制御回路２１が出力するフレーム）を決定することができる。
【０１６６】
・ＯＮＵ：下り方向
ＯＮＵ２０において、ＰＯＮプロトコル処理回路２２は、暗号／復号処理回路２３から下りフレームと下り制御フレームとを受信する。このうち、下り制御フレームはＰＯＮ制御回路２９へ出力し、下り制御フレーム以外の下りフレームはユーザ端末側へ出力する。
これにより、下り制御フレームはＰＯＮ制御回路２９でのＰＯＮシステム２の制御に用いられる。また、下り制御フレーム以外の下りフレームは、優先制御回路２１を介してＯＬＴ１０から上位装置側へ出力される。
【０１６７】
［第５の実施の形態の効果］
このように、本実施の形態によれば、ＰＯＮプロトコルとして、ＩＥＥＥ１９０４．１で規定されているＳＩＥＰＯＮを用いた場合でも、第３の実施の形態と同様の作用効果を得ることが可能となる。
なお、ＳＩＥＰＯＮを用いた場合、制御フレームの暗号化は必須ではないが、制御フレームの暗号化を行う場合は、第３の実施の形態と同様に制御用暗号／復号化処理回路を搭載することにより、第３の実施の形態と同様の作用効果を得ることが可能となる。その場合、暗号化の方式によっては、第３の実施の形態と同様にＰＯＮプロトコル処理回路に暗号化に使用する情報および復号情報を出力する機能を搭載する必要がある。
【０１６８】
［第６の実施の形態］
次に、図１２および図１３を参照して、本発明の第６の実施の形態にかかる無線ネットワークシステム１について説明する。
本実施の形態では、ＯＬＴ１０におけるＰＯＮプロトコル処理回路１２の配置位置、およびＯＮＵ２０におけるＰＯＮプロトコル処理回路２２の配置位置について説明する。
【０１６９】
第３の実施の形態では、図６に示すように、ＯＬＴ１０におけるＰＯＮプロトコル処理回路１２を、優先制御回路１１と暗号／復号処理回路１３との間に配置し、ＯＮＵ２０におけるＰＯＮプロトコル処理回路２２を、優先制御回路２１と暗号／復号処理回路２３との間に配置した場合を例として説明した。
本実施の形態は、図１２に示すように、暗号／復号処理回路１３と誤り訂正処理回路１４との間にＰＯＮプロトコル処理回路１２を配置し、図１３に示すように、暗号／復号処理回路２３と誤り訂正処理回路２４との間にＰＯＮプロトコル処理回路２２を配置したものである。
本実施の形態にかかるＯＬＴ１０およびＯＮＵ２０のその他構成については、前述した第５の実施の形態と同様であり、ここでの説明は省略する。
【０１７０】
［第６の実施の形態の動作］
次に、図１２および図１３を参照して、本実施の形態にかかるＰＯＮシステム２の動作について説明する。ここでは、暗号化／復号化処理および優先制御処理に対するバイパスの組み合わせごとに、ＯＬＴ１０およびＯＮＵ２０の動作を説明する。以下では、第５の実施の形態と同様に、ＩＥＥＥ１９０４．１で規定されているＳＩＥＰＯＮからなるＰＯＮプロトコルを用いた場合について説明する。
【０１７１】
［暗号化／復号化処理および優先制御処理の両方をバイパスする場合］
・ＯＬＴ：上り方向
ＯＬＴ１０において、ＰＯＮプロトコル処理回路１２は、誤り訂正処理回路１４から上りフレームと上り制御フレーム（ＭＰＣＰフレーム／ＯＡＭフレーム等）とを受信する。このうち、上り制御フレームはＰＯＮ制御回路１９へ出力し、上り制御フレーム以外の上りフレームは上位装置（ＣＵ）側へ出力する。
これにより、上り制御フレームは、ＰＯＮ制御回路１９でのＰＯＮシステム２の制御に用いられる。また、上り制御フレーム以外の上りフレームは、暗号／復号バイパス回路１７および優先制御バイパス回路１６を介してＯＬＴ１０から上位装置側へ出力される。
【０１７２】
・ＯＬＴ：下り方向
ＯＬＴ１０において、ＰＯＮプロトコル処理回路１２は、暗号／復号バイパス回路１７からの下りフレームと、ＰＯＮ制御回路１９から出力された下り制御フレームとを取得し、ＰＯＮ側へ出力する。
これにより、暗号／復号バイパス回路１７からの下りフレームおよび下り制御フレームは、誤り訂正処理回路１４へ出力されることになる。この際、ＰＯＮプロトコル処理回路１２が、暗号／復号バイパス回路１７からの下りフレームおよび下り制御フレームのどちらを優先して出力するかについては、任意でよいが、下り制御フレームを優先して出力するようにしてもよい。
【０１７３】
なお、下り制御フレームの出力と暗号／復号バイパス回路１７からの下りフレームの出力を同時に行うことはできないため、ＰＯＮプロトコル処理回路１２内に暗号／復号バイパス回路１７からの下りフレーム用のバッファを搭載するか、もしくは、ＰＯＮプロトコル処理回路１２内に優先制御バイパス回路１６に対して出力を許可する機能を搭載して優先制御バイパス回路１６からの下りフレームを出力する時にのみ優先制御バイパス回路１６に対して出力を許可する必要がある。
【０１７４】
後者の場合は、優先制御バイパス回路１６内にバッファを搭載し、優先制御バイパス回路１６がＰＯＮプロトコル処理回路１２から出力許可が入力された場合にバッファからフレームを出力する。また、優先制御バイパス回路１６内にバッファを搭載せず、ＰＯＮプロトコル処理回路１２内に暗号／復号バイパス回路１７に対して出力を許可する機能を搭載して暗号／復号バイパス回路１７からの下りフレームを出力する時にのみ暗号／復号バイパス回路１７に対して出力を許可するようにし、暗号／復号バイパス回路１７内にバッファを搭載し、暗号／復号バイパス回路１７がＰＯＮプロトコル処理回路１２から出力許可が入力された場合にバッファからフレームを出力するようにしてもよい。
【０１７５】
・ＯＮＵ：上り方向
ＯＮＵ２０において、ＰＯＮプロトコル処理回路２２は、暗号／復号バイパス回路２７からの上りデータと、ＰＯＮ制御回路２９から出力された上り制御データとを取得して、ＬＬＩＤごとにＰＯＮ側へ出力する。
これにより、暗号／復号バイパス回路２７からの上りフレームおよび上り制御フレームは、誤り訂正処理回路２４へ出力されることになる。この際、ＰＯＮプロトコル処理回路２２が、上りフレームおよび上り制御フレームのどちらを優先して出力するかについては、任意でよいが、上り制御フレームを優先して出力するようにしてもよい。
【０１７６】
なお、上り制御フレームの出力と暗号／復号バイパス回路２７からの上りフレームの出力を同時に行うことはできないため、ＰＯＮプロトコル処理回路２２内に暗号／復号バイパス回路２７からの上りフレーム用のバッファをＬＬＩＤごとに搭載するか、もしくは、ＰＯＮプロトコル処理回路２２内に優先制御バイパス回路２６に対して出力を許可する機能（および、出力を許可するＬＬＩＤの情報を出力する機能）を搭載して優先制御バイパス回路２６からの上りフレームを出力する時にのみ優先制御バイパス回路２６に対して出力を許可する必要がある。
【０１７７】
後者の場合は、優先制御バイパス回路２６内にＬＬＩＤごとにバッファを搭載し、優先制御バイパス回路２６がＰＯＮプロトコル処理回路２２から出力許可（および、許可されたＬＬＩＤの情報）が入力された場合に許可されたＬＬＩＤのバッファからフレームを出力する。また、優先制御バイパス回路２６内にバッファを搭載せず、ＰＯＮプロトコル処理回路２２内に暗号／復号バイパス回路２７に対して出力を許可する機能（および、出力を許可するＬＬＩＤの情報を出力する機能）を搭載して暗号／復号バイパス回路２７からの上りフレームを出力する時にのみ暗号／復号バイパス回路２７に対して出力を許可するようにし、暗号／復号バイパス回路２７内にＬＬＩＤごとにバッファを搭載し、暗号／復号バイパス回路２７がＰＯＮプロトコル処理回路２２から出力許可（および、許可されたＬＬＩＤの情報）が入力された場合に許可されたＬＬＩＤのバッファからフレームを出力するようにしてもよい。
【０１７８】
・ＯＮＵ：下り方向
ＯＮＵ２０において、ＰＯＮプロトコル処理回路２２は、誤り訂正処理回路２４から下りフレームと下り制御フレームとを受信する。このうち、下り制御フレームはＰＯＮ制御回路２９へ出力し、下り制御フレーム以外の下りフレームはユーザ端末側へ出力する。
これにより、下り制御フレームは、ＰＯＮ制御回路２９でのＰＯＮシステム２の制御に用いられる。また、下り制御フレーム以外の下りフレームは、暗号／復号バイパス回路２７および優先制御バイパス回路２６を介してＯＮＵ２０からユーザ端末側へ出力される。
【０１７９】
［暗号化／復号化処理のみをバイパスする場合］
・ＯＬＴ：上り方向
ＯＬＴ１０において、ＰＯＮプロトコル処理回路１２は、誤り訂正処理回路１４から上りフレームと上り制御フレームとを受信する。このうち、上り制御フレームはＰＯＮ制御回路１９へ出力し、上り制御フレーム以外の上りフレームは上位装置（ＣＵ）側へ出力する。
これにより、上り制御フレームは、ＰＯＮ制御回路１９でのＰＯＮシステム２の制御に用いられる。また、上り制御フレーム以外の上りフレームは、暗号／復号バイパス回路１７および優先制御回路１１を介してＯＬＴ１０から上位装置側へ出力される。
【０１８０】
・ＯＬＴ：下り方向
ＯＬＴ１０において、ＰＯＮプロトコル処理回路１２は、暗号／復号バイパス回路１７からの下りフレームと、ＰＯＮ制御回路１９から出力された下り制御データとを取得し、優先度に応じてＰＯＮ側へ出力する。これにより、暗号／復号バイパス回路１７からの下りフレームおよび下り制御フレームは、誤り訂正処理回路１４へ出力されることになる。
【０１８１】
なお、フレームの優先度を考慮する必要があるため、ＰＯＮプロトコル処理回路１２内に優先度ごとのバッファを搭載して優先度の高いバッファからの出力を優先するようにするか、もしくは、ＰＯＮプロトコル処理回路１２内に優先制御回路１１に対して出力を許可する機能を搭載して優先制御回路１１からの下りフレームを出力する時にのみ優先制御回路１１に対して出力を許可する必要がある。
【０１８２】
後者の場合は、優先制御回路１１内の優先度ごとのバッファを使用し、優先制御回路１１がＰＯＮプロトコル処理回路１２から出力許可が入力された場合に優先度の高いバッファからの出力を優先して出力する。また、ＰＯＮプロトコル処理回路１２内に暗号／復号バイパス回路１７に対して出力を許可する機能を搭載して暗号／復号バイパス回路１７からの下りフレームを出力する時にのみ暗号／復号バイパス回路１７に対して出力を許可するようにし、暗号／復号バイパス回路１７内に優先度ごとのバッファを搭載し、暗号／復号バイパス回路１７がＰＯＮプロトコル処理回路１２から出力許可が入力された場合に優先度の高いバッファからの出力を優先して出力するようにしてもよい。
【０１８３】
・ＯＮＵ：上り方向
ＯＮＵ２０において、ＰＯＮプロトコル処理回路２２は、暗号／復号バイパス回路２７からの上りフレームと、ＰＯＮ制御回路２９から出力された上り制御フレームとを取得して、ＬＬＩＤごとにＰＯＮ側へ出力する。
これにより、暗号／復号バイパス回路２７からの上りフレームおよび上り制御フレームは、誤り訂正処理回路２４へ出力されることになる。この際、ＰＯＮプロトコル処理回路２２が、暗号／復号バイパス回路２７からの上りフレームおよび上り制御フレームのどちらを優先して出力するかについては、フレームの優先度を考慮する必要がある。
【０１８４】
そのため、ＰＯＮプロトコル処理回路２２内にＬＬＩＤごとに優先度ごとのバッファを搭載して優先度の高いバッファからの出力を優先するようにするか、もしくは、ＰＯＮプロトコル処理回路２２内に優先制御回路２１に対して出力を許可する機能（および、出力を許可するＬＬＩＤの情報を出力する機能）を搭載して優先制御回路２１からの上りフレームを出力する時にのみ優先制御回路２１に対して出力を許可する必要がある。
【０１８５】
後者の場合は、優先制御回路２１内にＬＬＩＤごとに優先度ごとのバッファを搭載し、優先制御回路２１がＰＯＮプロトコル処理回路２２から出力許可（および、許可されたＬＬＩＤの情報）が入力された場合に許可されたＬＬＩＤの優先度の高いバッファからの出力を優先して出力する。
なお、前者の場合、後者の場合のどちらの場合でも、優先度ごとにＬＬＩＤを使い分ける場合は、ＬＬＩＤごとに優先度ごとのバッファを搭載する必要はなく、ＬＬＩＤのみで出力するフレーム（後者の場合は、優先制御回路２１が出力するフレーム）を決定することができる。
【０１８６】
また、ＰＯＮプロトコル処理回路２２内に暗号／復号バイパス回路２７に対して出力を許可する機能（および、出力を許可するＬＬＩＤの情報を出力する機能）を搭載して暗号／復号バイパス回路２７からの上りフレームを出力する時にのみ暗号／復号バイパス回路２７に対して出力を許可するようにし、暗号／復号バイパス回路２７内にＬＬＩＤごとに優先度ごとのバッファを搭載し、暗号／復号バイパス回路２７がＰＯＮプロトコル処理回路２２から出力許可（および、許可されたＬＬＩＤの情報）が入力された場合に許可されたＬＬＩＤの優先度の高いバッファからの出力を優先して出力するようにしてもよい。この場合も優先度ごとにＬＬＩＤを使い分ける場合は、ＬＬＩＤごとに優先度ごとのバッファを搭載する必要はなく、ＬＬＩＤのみで暗号／復号バイパス回路２７が出力するフレームを決定することができる。
【０１８７】
・ＯＮＵ：下り方向
ＯＮＵ２０において、ＰＯＮプロトコル処理回路２２は、誤り訂正処理回路２４から下りフレームと下り制御フレームとを受信する。このうち、下り制御フレームはＰＯＮ制御回路２９へ出力し、下り制御フレーム以外の下りフレームはユーザ端末側へ出力する。
これにより、下り制御フレームは、ＰＯＮ制御回路２９でのＰＯＮシステム２の制御に用いられる。また、下り制御フレーム以外の下りフレームは、暗号／復号バイパス回路２７および優先制御回路２１を介してＯＮＵ２０からユーザ端末側へ出力される。
【０１８８】
［暗号化／復号化処理および優先制御処理のいずれもバイパスしない場合］
・ＯＬＴ：上り方向
ＯＬＴ１０において、ＰＯＮプロトコル処理回路１２は、誤り訂正処理回路１４から上りフレームと上り制御フレームとを受信する。このうち、上り制御フレームはＰＯＮ制御回路１９へ出力し、上り制御フレーム以外の上りフレームは上位装置（ＣＵ）側へ出力する。
これにより、上り制御フレームは、ＰＯＮ制御回路１９でのＰＯＮシステム２の制御に用いられる。また、上り制御フレーム以外の上りフレームは、暗号／復号処理回路１３および優先制御回路１１を介してＯＬＴ１０から上位装置側へ出力される。
【０１８９】
・ＯＬＴ：下り方向
ＯＬＴ１０において、ＰＯＮプロトコル処理回路１２は、暗号／復号処理回路１３からの下りフレームと、ＰＯＮ制御回路１９から出力された下り制御フレームとを取得し、優先度に応じてＰＯＮ側へ出力する。
これにより、暗号／復号処理回路１３からの下りフレームおよび下り制御フレームは、誤り訂正処理回路１４へ出力されることになる。
【０１９０】
なお、フレームの優先度を考慮する必要があるため、ＰＯＮプロトコル処理回路１２内に優先度ごとのバッファを搭載して優先度の高いバッファからの出力を優先するようにするか、もしくは、ＰＯＮプロトコル処理回路１２内に優先制御回路１１に対して出力を許可する機能を搭載して優先制御回路１１からの下りフレームを出力する時にのみ優先制御回路１１に対して出力を許可する必要がある。
【０１９１】
後者の場合は、優先制御回路１１内の優先度ごとのバッファを使用し、優先制御回路１１がＰＯＮプロトコル処理回路１２から出力許可が入力された場合に優先度の高いバッファからの出力を優先して出力する。また、ＰＯＮプロトコル処理回路１２内に暗号／復号処理回路１３に対して出力を許可する機能を搭載して暗号／復号処理回路１３からの下りフレームを出力する時にのみ暗号／復号処理回路１３に対して出力を許可するようにし、暗号／復号処理回路１３内に優先度ごとのバッファを搭載し、暗号／復号処理回路１３がＰＯＮプロトコル処理回路１２から出力許可が入力された場合に優先度の高いバッファからの出力を優先して出力するようにしてもよい。
【０１９２】
・ＯＮＵ：上り方向
ＯＮＵ２０において、ＰＯＮプロトコル処理回路２２は、暗号／復号処理回路２３からの上りフレームと、ＰＯＮ制御回路２９から出力された上り制御フレームとを取得して、ＬＬＩＤごとにＰＯＮ側へ出力する。
これにより、暗号／復号処理回路２３からの上りフレームおよび上り制御フレームは、誤り訂正処理回路２４へ出力されることになる。この際、ＰＯＮプロトコル処理回路２２が、上りフレームおよび上り制御フレームのどちらを優先して出力するかについては、フレームの優先度を考慮する必要がある。
【０１９３】
そのため、ＰＯＮプロトコル処理回路２２内にＬＬＩＤごとに優先度ごとのバッファを搭載して優先度の高いバッファからの出力を優先するようにするか、もしくは、ＰＯＮプロトコル処理回路２２内に優先制御回路２１に対して出力を許可する機能（および、出力を許可するＬＬＩＤの情報を出力する機能）を搭載して優先制御回路２１からの上りフレームを出力する時にのみ優先制御回路２１に対して出力を許可する必要がある。
【０１９４】
後者の場合は、優先制御回路２１内にＬＬＩＤごとに優先度ごとのバッファを搭載し、優先制御回路２１がＰＯＮプロトコル処理回路２２から出力許可（および、許可されたＬＬＩＤの情報）が入力された場合に許可されたＬＬＩＤの優先度の高いバッファからの出力を優先して出力する。
なお、前者の場合、後者の場合のどちらの場合でも、優先度ごとにＬＬＩＤを使い分ける場合は、ＬＬＩＤごとに優先度ごとのバッファを搭載する必要はなく、ＬＬＩＤのみで出力するフレーム（後者の場合は、優先制御回路２１が出力するフレーム）を決定することができる。
【０１９５】
また、ＰＯＮプロトコル処理回路２２内に暗号／復号処理回路２３に対して出力を許可する機能（および、出力を許可するＬＬＩＤの情報を出力する機能）を搭載して暗号／復号処理回路２３からの上りフレームを出力する時にのみ暗号／復号処理回路２３に対して出力を許可するようにし、暗号／復号処理回路２３内にＬＬＩＤごとに優先度ごとのバッファを搭載し、暗号／復号処理回路２３がＰＯＮプロトコル処理回路２２から出力許可（および、許可されたＬＬＩＤの情報）が入力された場合に許可されたＬＬＩＤの優先度の高いバッファからの出力を優先して出力するようにしてもよい。この場合も優先度ごとにＬＬＩＤを使い分ける場合は、ＬＬＩＤごとに優先度ごとのバッファを搭載する必要はなく、ＬＬＩＤのみで暗号／復号処理回路２３が出力するフレームを決定することができる。
【０１９６】
・ＯＮＵ：下り方向
ＯＮＵ２０において、ＰＯＮプロトコル処理回路２２は、暗号／復号処理回路２３から下りフレームと下り制御フレームとを受信する。このうち、下り制御フレームはＰＯＮ制御回路２９へ出力し、下り制御フレーム以外の下りフレームはユーザ端末側へ出力する。
これにより、下り制御フレームは、ＰＯＮ制御回路２９でのＰＯＮシステム２の制御に用いられる。また、下り制御フレーム以外の下りフレームは、暗号／復号処理回路２３および優先制御回路２１を介してＯＮＵ２０からユーザ端末側へ出力される。
【０１９７】
［第６の実施の形態の効果］
このように、本実施の形態によれば、ＯＬＴ１０において、暗号／復号処理回路１３と誤り訂正処理回路１４との間にＰＯＮプロトコル処理回路１２を配置し、ＯＮＵ２０において、暗号／復号処理回路２３と誤り訂正処理回路２４との間にＰＯＮプロトコル処理回路２２を配置した場合でも、第５の実施の形態と同様の作用効果を得ることが可能となる。
なお、ＳＩＥＰＯＮを用いた場合、制御フレームの暗号化は必須ではないが、制御フレームの暗号化を行う場合は、ＰＯＮプロトコル処理回路とＰＯＮ制御回路の間に第３の実施の形態と同様の制御用暗号／復号化処理回路を搭載することにより、第３の実施の形態と同様の作用効果を得ることが可能となる。その場合、暗号化の方式によっては、第３の実施の形態と同様にＰＯＮプロトコル処理回路に暗号化に使用する情報および復号情報を出力する機能を搭載する必要がある。
【０１９８】
［第７の実施の形態］
次に、図１４および図１５を参照して、本発明の第７の実施の形態にかかる無線ネットワークシステム１について説明する。
本実施の形態では、第３の実施の形態で説明した、ＩＴＵ−Ｔ  Ｇ９８９．３（ＮＧ−ＰＯＮ２）で規定されているＯＭＣＣにおいて、複数の異なる波長の光信号を用いる場合における、制御データのやり取りについて説明する。
【０１９９】
図１４には、ＯＬＴ１０として、２つの異なる波長λＸ，λＹの光信号を用いる場合の構成例が示されている。ＰＯＮ処理回路１０Ｘは、波長λＸの光信号を用いて光通信を行う機能を有しており、ＰＯＮ処理回路１０Ｙは、波長λＹの光信号を用いて光通信を行う機能を有している。
ＰＯＮ処理回路１０Ｘ，１０Ｙには、それぞれ優先制御回路１１、暗号／復号処理回路１３、誤り訂正処理回路１４、優先制御バイパス回路１６、および暗号／復号バイパス回路１７が設けられている。また、ＰＯＮプロトコル処理回路１２とＰＯＮ光送受信処理回路１５は、ＰＯＮ処理回路１０Ｘ，１０Ｙに共通して設けられている。
【０２００】
図１５には、ＯＮＵ２０として、２つの異なる波長λＸ，λＹの光信号を用いる場合の構成例が示されている。ＰＯＮ処理回路２０Ｘは、波長λＸの光信号を用いて光通信を行う機能を有しており、ＰＯＮ処理回路２０Ｙは、波長λＹの光信号を用いて光通信を行う機能を有している。
ＰＯＮ処理回路２０Ｘ，２０Ｙには、それぞれ優先制御回路２１、暗号／復号処理回路２３、誤り訂正処理回路２４、優先制御バイパス回路２６、および暗号／復号バイパス回路２７が設けられている。また、ＰＯＮプロトコル処理回路２２とＰＯＮ光送受信処理回路２５は、ＰＯＮ処理回路２０Ｘ，２０Ｙに共通して設けられている。
【０２０１】
これにより、ＰＯＮプロトコル処理回路１２，２２で制御データを送受信する場合、波長λＸ，λＹのいずれを選択してもよいことになる。一方、優先制御処理および暗号化／復号化処理のバイパス有無は、波長λＸ，λＹごとに、優先制御バイパス指示ＢＰＸ，ＢＰＹおよび暗号／復号バイパス指示ＢＥＸ，ＢＥＹにより、それぞれ別個に指定されることになる。したがって、暗号化／復号化処理をバイパスしていない波長を、制御データの送受信に選択することにより制御データの暗号／復号処理を行うことができる。
【０２０２】
本実施の形態にかかるＯＬＴ１０のＰＯＮプロトコル処理回路１２は、ＰＯＮ処理回路１０Ｘ，１０Ｙに関する暗号／復号バイパス指示ＢＥＸ，ＢＥＹに基づいて、暗号化／復号化処理をバイパスしていない波長を選択し、選択した波長と対応するＰＯＮ処理回路１０Ｘ，１０Ｙを用いて制御データを送受信する機能を有している。
また、本実施の形態にかかるＯＮＵ２０のＰＯＮプロトコル処理回路２２は、ＰＯＮ処理回路２０Ｘ，２０Ｙに関する暗号／復号バイパス指示ＢＥＸ，ＢＥＹに基づいて、暗号化／復号化処理をバイパスしていない波長を選択し、選択した波長と対応するＰＯＮ処理回路２０Ｘ，２０Ｙを用いて制御データを送受信する機能を有している。
【０２０３】
［第７の実施の形態の動作］
次に、図１４および図１５を参照して、本実施の形態にかかるＰＯＮシステム２の動作について説明する。ここでは、暗号化／復号化処理および優先制御処理に対するバイパスの組み合わせごとに、ＯＬＴ１０およびＯＮＵ２０の動作を説明する。以下では、ＰＯＮプロトコルとして、ＩＴＵ−Ｔ  Ｇ９８９．３（ＮＧ−ＰＯＮ２）で規定されているＯＭＣＣを用いた場合を例として説明する。
【０２０４】
◆制御データの送受信に用いる波長について
［暗号化／復号化処理および優先制御処理のいずれもバイパスしない場合］
・ＯＬＴ：上り方向
ＯＬＴ１０において、ＰＯＮプロトコル処理回路１２は、暗号／復号処理回路１３から上りデータと上り制御データとを受信する。このうち、上り制御データはＰＯＮ制御回路１９へ出力し、上り制御データ以外の上りデータは上位装置（ＣＵ）側へ出力する。これにより、上り制御データ以外の上りデータは、優先制御回路１１を介してＯＬＴ１０から上位装置側へ出力される。
【０２０５】
・ＯＬＴ：下り方向
ＯＬＴ１０において、ＰＯＮプロトコル処理回路１２は、優先制御回路１１からの下りデータと、ＰＯＮ制御回路１９から出力された下り制御データとを取得し、ＦＳペイロードに挿入してＰＯＮ側へ出力する。これにより、優先制御回路１１からの下りデータおよび下り制御データは、ＦＳペイロードに格納されて、暗号／復号処理回路１３を介して誤り訂正処理回路１４へ出力されることになる。
【０２０６】
ＦＳペイロードへの挿入の際にはデータの優先度を考慮して優先度のより高いデータを優先して挿入する必要がある。そのために、ＰＯＮプロトコル処理回路１２内に優先度ごとのバッファを搭載して優先度の高いバッファからの出力（ＦＳペイロードへの挿入）を優先するようにするか、もしくは、ＰＯＮプロトコル処理回路１２内に下り制御データ用の優先度ごとのバッファと優先制御回路１１に対して出力を許可する機能を搭載して優先制御回路１１からの下りデータの挿入時にのみ優先制御回路１１に対して出力を許可すればよい。
【０２０７】
前者の場合は、優先制御回路１１からの下りデータと下り制御データを優先度に応じて同じバッファに格納するようにするか、もしくは、優先制御回路１１からの下りデータ用のバッファと下り制御データ用のバッファをそれぞれ別々に優先度ごとに搭載して優先制御回路１１からの下りデータの優先度と下り制御データの優先度が同じ場合には例えば交互にＦＳペイロードへ挿入するようにすればよい。
【０２０８】
後者の場合は、ＰＯＮプロトコル処理回路１２が優先制御回路１１からの下りデータと下り制御データのどちらをどの程度の頻度で挿入するか等を設定等により決定して、下り制御データをＦＳペイロードへ挿入する場合にはＰＯＮプロトコル処理回路１２内の下り制御データ用のバッファから優先度に従って挿入し、優先制御回路１１からの下りデータをＦＳペイロードへ挿入する場合には優先制御回路１１内の優先度ごとのバッファを使用して優先制御回路１１がＰＯＮプロトコル処理回路１２から出力許可が入力された場合に優先度の高いバッファからの出力を優先して出力する。
なお、前者の場合、後者の場合のどちらの場合でも、下り制御データのＦＳペイロードへの挿入を優先制御回路１１からの下りデータの挿入よりも優先するようにしてもよい。
【０２０９】
・ＯＮＵ：上り方向
ＯＮＵ２０において、ＰＯＮプロトコル処理回路２２は、優先制御回路２１からの上りデータと、ＰＯＮ制御回路２９から出力された上り制御データとを取得して、Ａｌｌｏｃａｔｉｏｎ−ＩＤが同じ優先制御回路２１からの上りデータと上り制御データを同一ＦＳペイロードに挿入してＰＯＮ側へ出力する。
【０２１０】
ＦＳペイロードへの挿入の際には、データの優先度を考慮して優先度のより高いデータを優先して挿入する必要がある。そのために、ＰＯＮプロトコル処理回路２２内にＡｌｌｏｃａｔｉｏｎ−ＩＤごとに優先度ごとのバッファを搭載して優先度の高いバッファからの出力（ＦＳペイロードへの挿入）を優先するようにするか、もしくは、ＰＯＮプロトコル処理回路２２内に上り制御データ用の優先度ごとのバッファと優先制御回路２１に対して出力を許可する機能（および、出力を許可するＡｌｌｏｃａｔｉｏｎ−ＩＤの情報を出力する機能）を搭載して優先制御回路２１からの上りデータの挿入時にのみ優先制御回路２１に対して出力を許可すればよい。
【０２１１】
前者の場合は、優先制御回路２１からの上りデータと上り制御データを優先度に応じて同じバッファに格納するようにするか、もしくは、優先制御回路２１からの上りデータ用のバッファと上り制御データ用のバッファをそれぞれ別々に優先度ごとに搭載して優先制御回路２１からの上りデータの優先度と上り制御データの優先度が同じ場合には例えば交互にＦＳペイロードへ挿入するようにすればよい。
【０２１２】
後者の場合は、ＰＯＮプロトコル処理回路２２が優先制御回路２１からの上りデータと上り制御データのどちらをどの程度の頻度で挿入するか等を設定等により決定して、上り制御データをＦＳペイロードへ挿入する場合にはＰＯＮプロトコル処理回路２２内の上り制御データ用のバッファから優先度に従って挿入し、優先制御回路２１からの上りデータをＦＳペイロードへ挿入する場合には優先制御回路２１内にＡｌｌｏｃａｔｉｏｎ−ＩＤごとに優先度ごとのバッファを搭載し、優先制御回路２１がＰＯＮプロトコル処理回路２２から出力許可（および、許可されたＡｌｌｏｃａｔｉｏｎ−ＩＤの情報）が入力された場合に許可されたＡｌｌｏｃａｔｉｏｎ−ＩＤの優先度の高いバッファからの出力を優先して出力する。
【０２１３】
なお、前者の場合、後者の場合のどちらの場合でも、優先度ごとにＡｌｌｏｃａｔｉｏｎ−ＩＤを使い分ける場合は、Ａｌｌｏｃａｔｉｏｎ−ＩＤごとに優先度ごとのバッファを搭載する必要はなく、Ａｌｌｏｃａｔｉｏｎ−ＩＤのみでＦＳペイロードに挿入するデータ（後者の場合は、優先制御回路２１が出力するデータ）を決定することができる。
また、前者の場合、後者の場合のどちらの場合でも、上り制御データのＦＳペイロードへの挿入を優先制御回路２１からの上りデータの挿入よりも優先するようにしてもよい。
【０２１４】
・ＯＮＵ：下り方向
ＯＮＵ２０において、ＰＯＮプロトコル処理回路２２は、暗号／復号処理回路２３から下りデータと下り制御データとを受信する。このうち、下り制御データはＰＯＮ制御回路２９へ出力し、下り制御データ以外の下りデータはユーザ端末側へ出力する。これにより、下り制御データ以外の下りデータは、優先制御回路２１を介してＯＮＵ２００からユーザ端末側へ出力される。
【０２１５】
［優先制御処理のみをバイパスする場合］
・ＯＬＴ：上り方向
ＯＬＴ１０において、ＰＯＮプロトコル処理回路１２は、暗号／復号処理回路１３から上りデータと上り制御データとを受信する。このうち、上り制御データはＰＯＮ制御回路１９へ出力し、上り制御データ以外の上りデータは上位装置（ＣＵ）側へ出力する。これにより、上り制御データ以外の上りデータは、優先制御バイパス回路１６を介してＯＬＴ１０から上位装置側へ出力される。
【０２１６】
・ＯＬＴ：下り方向
ＯＬＴ１０において、ＰＯＮプロトコル処理回路１２は、優先制御バイパス回路１６からの下りデータと、ＰＯＮ制御回路１９から出力された下り制御データとを取得し、ＦＳペイロードに挿入してＰＯＮ側へ出力する。これにより、優先制御バイパス回路１６からの下りデータおよび下り制御データは、ＦＳペイロードに格納されて、暗号／復号処理回路１３を介して誤り訂正処理回路１４へ出力されることになる。
【０２１７】
なお、優先制御バイパス回路１６からの下りデータをＦＳペイロードに挿入する際に、データの優先度を考慮する必要はない。しかし、下り制御データのＦＳペイロードへの挿入と優先制御バイパス回路１６からの下りデータのＦＳペイロードへの挿入を同時に行うことはできないため、ＰＯＮプロトコル処理回路１２内に優先制御バイパス回路１６からの下りデータ用のバッファを搭載するか、もしくは、ＰＯＮプロトコル処理回路１２内に優先制御バイパス回路１６に対して出力を許可する機能を搭載して優先制御バイパス回路１６からの下りデータの挿入時にのみ優先制御バイパス回路１６に対して出力を許可すればよい。
【０２１８】
前者の場合は、優先制御バイパス回路１６からの下りデータと下り制御データを同じバッファに格納するようにするか、もしくは、優先制御バイパス回路１６からの下りデータ用のバッファと下り制御データ用のバッファをそれぞれ別々に搭載して例えば交互にＦＳペイロードへ挿入するようにすればよい。
【０２１９】
後者の場合は、ＰＯＮプロトコル処理回路１２が優先制御バイパス回路１６からの下りデータと下り制御データのどちらをどの程度の頻度で挿入するか等を設定等により決定して、下り制御データをＦＳペイロードへ挿入する場合にはＰＯＮプロトコル処理回路１２内の下り制御データ用のバッファから挿入し、優先制御バイパス回路１６からの下りデータをＦＳペイロードへ挿入する場合には、優先制御バイパス回路１６内にバッファを搭載し、優先制御バイパス回路１６がＰＯＮプロトコル処理回路１２から出力許可が入力された場合にバッファからデータを出力する。
なお、前者の場合、後者の場合のどちらの場合でも、下り制御データのＦＳペイロードへの挿入を優先制御バイパス回路１６からの下りデータの挿入よりも優先するようにしてもよい。
【０２２０】
・ＯＮＵ：上り方向
ＯＮＵ２０において、ＰＯＮプロトコル処理回路２２は、優先制御バイパス回路２６からの上りデータと、ＰＯＮ制御回路２９から出力された上り制御データとを取得して、Ａｌｌｏｃａｔｉｏｎ−ＩＤが同じ優先制御バイパス回路２６からの上りデータと上り制御データを同一ＦＳペイロードに挿入してＰＯＮ側へ出力する。
これにより、優先制御バイパス回路２６からの上りデータおよび上り制御データは、ＦＳペイロードに格納されて、暗号／復号処理回路２３を介して誤り訂正処理回路２４へ出力されることになる。
【０２２１】
なお、優先制御バイパス回路２６からの上りデータをＦＳペイロードに挿入する際に、データの優先度を考慮する必要はない。しかし、上り制御データのＦＳペイロードへの挿入と優先制御バイパス回路２６からの上りデータのＦＳペイロードへの挿入を同時に行うことはできないため、ＰＯＮプロトコル処理回路２２内に優先制御バイパス回路２６からの上りデータ用のバッファをＡｌｌｏｃａｔｉｏｎ−ＩＤごとに搭載するか、もしくは、ＰＯＮプロトコル処理回路２２内に優先制御バイパス回路２６に対して出力を許可する機能（および、出力を許可するＡｌｌｏｃａｔｉｏｎ−ＩＤの情報を出力する機能）を搭載して優先制御バイパス回路２６からの上りデータの挿入時にのみ優先制御バイパス回路２６に対して出力を許可すればよい。
【０２２２】
前者の場合は、優先制御バイパス回路２６からの上りデータと上り制御データをＡｌｌｏｃａｔｉｏｎ−ＩＤごとに同じバッファに格納するようにするか、もしくは、優先制御バイパス回路２６からの上りデータ用のバッファと上り制御データ用のバッファをそれぞれ別々に搭載して例えば交互にＦＳペイロードへ挿入するようにすればよい。
【０２２３】
後者の場合は、ＰＯＮプロトコル処理回路２２が優先制御バイパス回路２６からの上りデータと上り制御データのどちらをどの程度の頻度で挿入するか等を設定等により決定して、上り制御データをＦＳペイロードへ挿入する場合にはＰＯＮプロトコル処理回路２２内の上り制御データ用のバッファから挿入し、優先制御バイパス回路２６からの上りデータをＦＳペイロードへ挿入する場合には、優先制御バイパス回路２６内にＡｌｌｏｃａｔｉｏｎ−ＩＤごとにバッファを搭載し、優先制御バイパス回路２６がＰＯＮプロトコル処理回路２２から出力許可（および、許可されたＡｌｌｏｃａｔｉｏｎ−ＩＤの情報）が入力された場合に許可されたＡｌｌｏｃａｔｉｏｎ−ＩＤのバッファからデータを出力する。
なお、前者の場合、後者の場合のどちらの場合でも、上り制御データのＦＳペイロードへの挿入を優先制御バイパス回路２６からの上りデータの挿入よりも優先するようにしてもよい。
【０２２４】
・ＯＮＵ：下り方向
ＯＮＵ２０において、ＰＯＮプロトコル処理回路２２は、暗号／復号処理回路２３から下りデータと下り制御データとを受信する。このうち、下り制御データはＰＯＮ制御回路２９へ出力し、下り制御データ以外の下りデータはユーザ端末側へ出力する。これにより、下り制御データ以外の下りデータは、優先制御バイパス回路２６を介してＯＮＵ２０からユーザ端末側へ出力される。
【０２２５】
◆制御データの送受信に用いない波長について
［暗号化／復号化処理および優先制御処理のいずれもバイパスしない場合］
・ＯＬＴ：上り方向
ＯＬＴ１０において、ＰＯＮプロトコル処理回路１２は、暗号／復号処理回路１３から上りデータを受信し、優先制御回路１１を介してＯＬＴ１０から上位装置側へ出力される。
・ＯＬＴ：下り方向
ＯＬＴ１０において、ＰＯＮプロトコル処理回路１２は、優先制御回路１１からの下りデータを取得し、ＦＳペイロードに挿入してＰＯＮ側へ出力する。これにより、優先制御回路１１からの下りデータは、ＦＳペイロードに格納されて、暗号／復号処理回路１３を介して誤り訂正処理回路１４へ出力されることになる。
なお、下り制御データのＦＳペイロードへの挿入は行われないため、ＰＯＮプロトコル処理回路１２は、優先制御回路１１から出力された下りデータを出力された順序のまま、ＦＳペイロードへ挿入すればよい。
【０２２６】
・ＯＮＵ：上り方向
ＯＮＵ２０において、ＰＯＮプロトコル処理回路２２は、優先制御回路２１からの上りデータを取得し、Ａｌｌｏｃａｔｉｏｎ−ＩＤが同じ上りデータを同一ＦＳペイロードに挿入してＰＯＮ側へ出力する。
なお、上り制御データのＦＳペイロードへの挿入は行われないため、ＰＯＮプロトコル処理回路２２は、優先制御回路２１から出力された上りデータを出力された順序のまま、ＦＳペイロードへ挿入すればよい。
・ＯＮＵ：下り方向
ＯＮＵ２０において、ＰＯＮプロトコル処理回路２２は、暗号／復号処理回路２３から下りデータを受信し、優先制御回路２１を介してＯＮＵ２００からユーザ端末側へ出力する。
【０２２７】
［優先制御処理のみをバイパスする場合］
・ＯＬＴ：上り方向
ＯＬＴ１０において、ＰＯＮプロトコル処理回路１２は、暗号／復号処理回路１３から上りデータを受信し、優先制御バイパス回路１６を介してＯＬＴ１０から上位装置側へ出力される。
・ＯＬＴ：下り方向
ＯＬＴ１０において、ＰＯＮプロトコル処理回路１２は、優先制御バイパス回路１６からの下りデータを取得し、ＦＳペイロードに挿入してＰＯＮ側へ出力する。これにより、下りデータは、ＦＳペイロードに格納されて、暗号／復号処理回路１３を介して誤り訂正処理回路１４へ出力されることになる。
なお、下り制御データのＦＳペイロードへの挿入は行われないため、ＰＯＮプロトコル処理回路１２は、優先制御バイパス回路１６から出力された下りデータを出力された順序のまま、ＦＳペイロードへ挿入すればよい。
【０２２８】
・ＯＮＵ：上り方向
ＯＮＵ２０において、ＰＯＮプロトコル処理回路２２は、優先制御バイパス回路２６からの上りデータを取得して、Ａｌｌｏｃａｔｉｏｎ−ＩＤが同じ上りデータを同一ＦＳペイロードに挿入してＰＯＮ側へ出力する。これにより、上りデータは、暗号／復号処理回路２３を介して誤り訂正処理回路２４へ出力されることになる。
なお、上り制御データのＦＳペイロードへの挿入は行われないため、ＰＯＮプロトコル処理回路２２は、優先制御バイパス回路２６から出力された上りデータを出力された順序のまま、ＦＳペイロードへ挿入すればよい。
・ＯＮＵ：下り方向
ＯＮＵ２０において、ＰＯＮプロトコル処理回路２２は、暗号／復号処理回路２３から下りデータを受信し、優先制御バイパス回路２６を介してＯＮＵ２０からユーザ端末側へ出力される。
【０２２９】
［暗号化／復号化処理のみをバイパスする場合］
・ＯＬＴ：上り方向
ＯＬＴ１０において、ＰＯＮプロトコル処理回路１２は、暗号／復号バイパス回路１７から上りデータを受信し、優先制御回路１１を介してＯＬＴ１０から上位装置側へ出力する。
・ＯＬＴ：下り方向
ＯＬＴ１０において、ＰＯＮプロトコル処理回路１２は、優先制御回路１１からの下りデータを取得して、ＦＳペイロードに挿入し、暗号／復号バイパス回路１７を介して誤り訂正処理回路１４へ出力する。
なお、下り制御データのＦＳペイロードへの挿入は行われないため、ＰＯＮプロトコル処理回路１２は、優先制御回路１１から出力された下りデータを出力された順序のまま、ＦＳペイロードへ挿入すればよい。
【０２３０】
・ＯＮＵ：上り方向
ＯＮＵ２０において、ＰＯＮプロトコル処理回路２２は、優先制御回路２１からの上りデータを取得して、Ａｌｌｏｃａｔｉｏｎ−ＩＤが同じ上りデータを同一ＦＳペイロードに挿入して、ＰＯＮ側へ出力する。これにより、上りデータは、暗号／復号バイパス回路２７を介して誤り訂正処理回路２４へ出力されることになる。
なお、上り制御データのＦＳペイロードへの挿入は行われないため、ＰＯＮプロトコル処理回路２２は、優先制御回路２１から出力された上りデータを出力された順序のまま、ＦＳペイロードへ挿入すればよい。
・ＯＮＵ：下り方向
ＯＮＵ２０において、ＰＯＮプロトコル処理回路２２は、暗号／復号バイパス回路２７から下りデータを受信し、ユーザ端末側へ出力する。
【０２３１】
［暗号化／復号化処理および優先制御処理の両方をバイパスする場合］
・ＯＬＴ：上り方向
ＯＬＴ１０において、ＰＯＮプロトコル処理回路１２は、暗号／復号バイパス回路１７から上りデータを受信し、上位装置（ＣＵ）側へ出力する。これにより、上りデータは、優先制御バイパス回路１６を介してＯＬＴ１０から上位装置側へ出力される。
【０２３２】
・ＯＬＴ：下り方向
ＯＬＴ１０において、ＰＯＮプロトコル処理回路１２は、優先制御バイパス回路１６からの下りデータを取得し、ＦＳペイロードに挿入してＰＯＮ側へ出力する。これにより、下りデータは、暗号／復号バイパス回路１７を介して誤り訂正処理回路１４へ出力されることになる。
なお、下り制御データのＦＳペイロードへの挿入は行われないため、ＰＯＮプロトコル処理回路１２は、優先制御バイパス回路１６から出力された下りデータを出力された順序のまま、ＦＳペイロードへ挿入すればよい。
【０２３３】
・ＯＮＵ：上り方向
ＯＮＵ２０において、ＰＯＮプロトコル処理回路２２は、優先制御バイパス回路２６からの上りデータを取得して、Ａｌｌｏｃａｔｉｏｎ−ＩＤが同じ下りデータ同一ＦＳペイロードに挿入してＰＯＮ側へ出力する。これにより、上りデータは、暗号／復号バイパス回路２７を介して誤り訂正処理回路２４へ出力されることになる。
なお、上り制御データのＦＳペイロードへの挿入は行われないため、ＰＯＮプロトコル処理回路２２は、優先制御バイパス回路２６から出力された上りデータを出力された順序のまま、ＦＳペイロードへ挿入すればよい。
【０２３４】
・ＯＮＵ：下り方向
ＯＮＵ２０において、ＰＯＮプロトコル処理回路２２は、暗号／復号バイパス回路２７から下りデータを受信し、ユーザ端末側へ出力する。これにより、下りデータは、優先制御バイパス回路２６を介してＯＮＵ２０からユーザ端末側へ出力される。
【０２３５】
［第７の実施の形態の効果］
このように、本実施の形態は、ＯＬＴ１０に、暗号／復号処理回路１３と暗号／復号バイパス回路１７との組を、ＰＯＮで送受信する光信号の波長ごとに別個に備えるとともに、ＰＯＮプロトコル処理回路１２を波長に共通して備え、ＰＯＮプロトコル処理回路１２が、波長のうち、暗号／復号バイパス回路１７により暗号化／復号化処理がバイパスされていない波長を用いて、制御データをやり取りするようにしたものである。
【０２３６】
また、ＯＮＵ２０に、暗号／復号処理回路２３と暗号／復号バイパス回路２７との組を、ＰＯＮで送受信する光信号の波長ごとに別個に備えるとともに、ＰＯＮプロトコル処理回路２２を波長に共通して備え、ＰＯＮプロトコル処理回路２２が、波長のうち、暗号／復号バイパス回路２７により暗号化／復号化処理がバイパスされていない波長を用いて、制御データをやり取りするようにしたものである。
【０２３７】
これにより、暗号化／復号化処理をバイパスしていない波長を用いて、制御データを暗号化して送信／復号して受信することができる。
一方、制御データの送受信を行わない波長は、ＣＵ−ＲＲＵ間のデータのみで使用することが可能となり、第１の実施例と同様に暗号化／復号化処理等のバイパスにより処理遅延を低減することが可能となる。
なお、本実施の形態の制御データの送受信を行わない波長における処理遅延を第３の実施の形態の同じパイパス設定と比較した場合、第３の実施の形態においては制御データをＦＳペイロードに挿入している期間はＣＵ−ＲＲＵ間のデータをＦＳペイロードに挿入できないのでその分の待ち時間が発生するのに対して、本実施の形態の制御データの送受信を行わない波長ではこの待ち時間が発生しない分、遅延が小さくなる。
【０２３８】
なお、以上では、ＰＯＮプロトコル処理回路１２，２２が、暗号／復号バイパス指示ＢＥＸ，ＢＥＹに基づいて、暗号化／復号化処理をバイパスしていない波長を、制御データの送受信用の波長として選択する場合を例として説明したが、これに限定されるものではない。例えば、制御データの送受信用として予め選択されている波長については、ＰＯＮプロトコル処理回路１２，２２が、暗号化／復号化処理をバイパスさせないようにしてもよい。
【０２３９】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【０２４０】
１…無線ネットワークシステム、２…ＰＯＮシステム、１０…局側装置（ＯＬＴ）、１１…優先制御回路、１２…ＰＯＮプロトコル処理回路、１３…暗号／復号処理回路、１４…誤り訂正処理回路、１５…ＰＯＮ光送受信処理回路、１６…優先制御バイパス回路、１６Ａ…ＩＦ整合処理回路、１６Ｂ，１６Ｃ…セレクタ（ＳＥＬ）、１６Ｄ，１６Ｅ…バイパス制御回路、１７…暗号／復号バイパス回路、１７Ａ…ＩＦ整合処理回路、１７Ｂ，１７Ｃ…セレクタ（ＳＥＬ）、１７Ｄ，１７Ｅ…バイパス制御回路、１８…制御用暗号／復号処理回路、１９…ＰＯＮ制御回路、２０…加入者側装置（ＯＮＵ）、２１…優先制御回路、２２…ＰＯＮプロトコル処理回路、２３…暗号／復号処理回路、２４…誤り訂正処理回路、２５…ＰＯＮ光送受信処理回路、２６…優先制御バイパス回路、２６Ａ…ＩＦ整合処理回路、２６Ｂ，２６Ｃ…セレクタ（ＳＥＬ）、２６Ｄ，２６Ｅ…バイパス制御回路、２７…暗号／復号バイパス回路、２８…制御用暗号／復号処理回路、２９…ＰＯＮ制御回路、ＣＵ…集約局、ＲＲＵ…無線局、ＵＥ…ユーザ端末、ＭＦＨ…モバイルフロントホール、ＭＢＨ…モバイルバックホール、ＢＰ，ＢＰＸ，ＢＰＹ…優先制御バイパス指示、ＢＥ，ＢＥＸ，ＢＥＹ…暗号／復号バイパス指示。
【図１】
0006574315.tif 000002
【図２】
0006574315.tif 000003
【図３】
0006574315.tif 000004
【図４】
0006574315.tif 000005
【図５】
0006574315.tif 000006
【図６】
0006574315.tif 000007
【図７】
0006574315.tif 000008
【図８】
0006574315.tif 000009
【図９】
0006574315.tif 000010
【図１０】
0006574315.tif 000011
【図１１】
0006574315.tif 000012
【図１２】
0006574315.tif 000013
【図１３】
0006574315.tif 000014
【図１４】
0006574315.tif 000015
【図１５】
0006574315.tif 000016
【図１６】
0006574315.tif 000017
【図１７】
0006574315.tif 000018
【図１８】
0006574315.tif 000019